(57)【要約】  固定長尺部材を有する物品のためのセキュリティ機器のためのシステムと装置が提供される。
2008533548.tif 000002
【特許請求の範囲】
【請求項１】
固定長尺部材（ＣＥＭ）（Ｃｏｎｓｔｒａｉｎｅｄ  Ｅｌｏｎｇａｔｅ  Ｍｅｍｂｅｒ）を有する物品のためのセキュリティ機器であって、
磁気的に作動可能なロック機構と、
セキュリティタグと、
ＣＥＭを固着するためのトンネルと、前記セキュリティタグと、筐体に固着された、磁気的に作動可能なロック機構とを含む前記筐体と、
を含む、セキュリティ機器。
【請求項２】
前記磁気的に作動可能なロック機構が、磁気的に作動可能なラッチと、可撓性要素と、ラッチ噛み合わせ要素とを含む、請求項１に記載のセキュリティ機器。
【請求項３】
前記可撓性要素と、前記磁気的に作動可能なラッチとが、単一の部分品として組み合わされた、請求項２に記載のセキュリティ機器。
【請求項４】
前記筐体がさらにチャネルを含み、前記磁気的に作動可能なラッチと前記可撓性要素とが少なくとも部分的に前記チャネルに配置された、請求項２に記載のセキュリティ機器。
【請求項５】
前記ラッチ噛み合わせ要素が前記筐体と一体になっている、請求項２に記載のセキュリティ機器。
【請求項６】
前記ラッチ噛み合わせ要素が引っ込み部を含む、請求項２に記載のセキュリティ機器。
【請求項７】
前記可撓性要素が前記磁気的に作動可能なラッチに隣接して位置し、前記磁気的に作動可能なラッチをロック位置に付勢し、前記磁気的に作動可能なラッチの少なくとも一部分が前記引っ込み部に伸長する、請求項６に記載のセキュリティ機器。
【請求項８】
前記磁気的に作動可能なラッチが前記可撓性要素と前記ラッチ噛み合わせ要素との間に位置している、請求項２に記載のセキュリティ機器。
【請求項９】
前記ＣＥＭを有する前記物品が眼鏡である、請求項１に記載のセキュリティ機器。
【請求項１０】
前記ＣＥＭが前記眼鏡のつるの根本の部分である、請求項１に記載のセキュリティ機器。
【請求項１１】
前記ＣＥＭが端部のない部材である、請求項１に記載のセキュリティ機器。
【請求項１２】
前記セキュリティ機器が再利用可能である、請求項１に記載のセキュリティ機器。
【請求項１３】
前記セキュリティ機器が使い捨て用である、請求項１に記載のセキュリティ機器。
【請求項１４】
前記セキュリティ機器がリセット可能である、請求項１に記載のセキュリティ機器。
【請求項１５】
前記磁気的に作動可能なラッチについては、磁力によって前記ロック位置から出るように移動させることができる、請求項１に記載のロック機構。
【請求項１６】
前記磁気的に作動可能なラッチについては、実質的に直線方向に動かすことができる、請求項１５に記載のロック機構。
【請求項１７】
前記磁気的に作動可能なラッチについては、実質的に回転方向に動かすことができる、請求項１５に記載のロック機構。
【請求項１８】
前記磁気的に作動可能なラッチについては、回転および直線方向の組み合わせで動かすことができる、請求項１５に記載のロック機構。
【請求項１９】
固定長尺部材（ＣＥＭ）を有する物品のためのセキュリティ機器であって、
セキュリティタグと、
磁気的に作動可能なロック機構と、
前記ＣＥＭを受けるためのトンネルと、前記セキュリティタグと、筐体に配置される磁気的に作動可能なロック機構とを画定する前記筐体と、
を含む、セキュリティ機器。
【請求項２０】
前記筐体が下部筐体を含み、前記セキュリティタグおよび磁気的に作動可能なロック機構が前記下部筐体に配置される、請求項１９に記載のセキュリティ機器。
【請求項２１】
前記機器は、前記下部筐体に配置されたハンドル組立体を含み、前記ハンドル組立体および下部筐体が前記トンネルを画定する、請求項２０に記載のセキュリティ機器。
【請求項２２】
前記ハンドル組立体が前記セキュリティタグを封入する、請求項２１に記載のセキュリティ機器。
【請求項２３】
前記ハンドル組立体が前記下部筐体と摺動可能に連結する、請求項２１に記載のセキュリティ機器。
【請求項２４】
前記ハンドル組立体が前記下部筐体と摺動可能に連結する、請求項２１に記載のセキュリティ機器。
【請求項２５】
前記ハンドル組立体が前記下部筐体と摺動可能および蝶着可能に連結する、請求項２１に記載のセキュリティ機器。
【請求項２６】
前記セキュリティタグが１つまたは複数の線形アモルファス共振器および磁化バイアスを含む、請求項２２に記載のセキュリティ機器。
【請求項２７】
前記ハンドル組立体が少なくとも１つの滑り子を含む、請求項２１に記載のセキュリティ機器。
【請求項２８】
前記下部筐体が少なくとも１つの経路を含み、前記少なくとも１つの滑り子については、前記セキュリティ機器がロック解除されているときに、前記少なくとも１つの経路に沿って動かすことができる、請求項２７に記載のセキュリティ機器。
【請求項２９】
前記下部筐体が少なくとも１つのレッジを含み、前記少なくとも１つの滑り子については、前記セキュリティ機器がロック解除されているときに、前記少なくとも１つのレッジに沿って動かすことができる、請求項２７に記載のセキュリティ機器。
【請求項３０】
前記磁気的に作動可能なロック機構が、磁気的に作動可能なラッチと、可撓性要素と、ラッチ受け取り要素とを含む、請求項１９に記載のセキュリティ機器。
【請求項３１】
前記機器は、ハンドル組立体を含み、前記ハンドル組立体は、前記ラッチ受け取り要素を含む、請求項３０に記載のセキュリティ機器。
【請求項３２】
前記セキュリティタグが前記下部筐体に配置され、前記セキュリティ機器が、前記セキュリティタグの上且つ前記下部筐体に配置されるセキュリティタグ・カバーをさらに含む、請求項２０に記載のセキュリティ機器。
【請求項３３】
前記下部筐体に固着され、且つ前記磁気的に作動可能なラッチおよび前記可撓性要素の上に存在するロック機構カバーを、前記筐体がさらに含む、請求項２０に記載のセキュリティ機器。
【請求項３４】
固定長尺部材（ＣＥＭ）のためのセキュリティ機器システムであって、
前記ＣＥＭのための筐体と、前記筐体に配置された磁気的に作動可能なロック機構とを含む、セキュリティ機器と、
前記セキュリティ機器をロック解除するための取り外し器であって、磁石を含む取り外し器と、
を含む、セキュリティ機器システム。
【請求項３５】
固定長尺部材（ＣＥＭ）のためのセキュリティ機器であって、
セキュリティタグと、
ロック機構と、
前記セキュリティタグと、ロック機構と、ＣＥＭを固着するための手段を含む筐体と
を含む、セキュリティ機器。
【発明の詳細な説明】
【背景技術】
【０００１】
本願は、「改良されたＥＡＳセキュリティタグ（Ｉｍｐｒｏｖｅｄ  ＥＡＳ  Ｓｅｃｕｒｉｔｙ  Ｔａｇｓ）」を発明の名称とする２００４年１２月７日に出願された米国仮特許出願第６０／６３３，８１３号と「改良されたＥＡＳセキュリティタグ（Ｉｍｐｒｏｖｅｄ  ＥＡＳ  Ｓｅｃｕｒｉｔｙ  Ｔａｇｓ）」を名称とする２００５年５月２３日に出願された米国仮特許出願第６０／６８３，６５７号とを基礎とする優先権を主張するものであり、それらのすべての内容は、参照によって本願明細書に引用されている。
【０００２】
アメリカ合衆国を指定する本国際出願は、アメリカ合衆国を指定する以下の出願に関連するものである。
【０００３】
（１）「磁気により作動可能なロック機構および関連するセキュリティ機器（Ｍａｇｎｅｔｉｃａｌｌｙ  Ａｃｔｕａｂｌｅ  Ｌｏｃｋｉｎｇ  Ｍｅｃｈａｎｉｓｍ  Ａｎｄ  Ａｓｓｏｃｉａｔｅｄ  Ｓｅｃｕｒｉｔｙ  Ｄｅｖｉｃｅ）」
（２）「磁気により作動可能なロック機構を有する光学ディスク・セキュリティ機器（Ｏｐｔｉｃａｌ  Ｄｉｓｃ  Ｓｅｃｕｒｉｔｙ  Ｄｅｖｉｃｅ  Ｈａｖｉｎｇ  Ａ  Ｍａｇｎｅｔｉｃａｌｌｙ  Ａｃｔｕａｂｌｅ  Ｌｏｃｋｉｎｇ  Ｍｅｃｈａｎｉｓｍ）」
（３）「ケーブルを有するセキュリティ機器（Ｓｅｃｕｒｉｔｙ  Ｄｅｖｉｃｅ  Ｈａｖｉｎｇ  Ａ  Ｃａｂｌｅ）」
（４）「瓶用セキュリティ機器（Ｓｅｃｕｒｉｔｙ  Ｄｅｖｉｃｅ  Ｆｏｒ  Ａ  Ｂｏｔｔｌｅ）」
これらの関連出願は本願と同時に出願済みであり、これらの関連出願の内容全体を参照によって本願明細書に引用した。
【０００４】
セキュリティタグ・システムは、管理区域から物品を許可なく移動することを防止するために設計されたものである。例えば、一般的な電子物品監視（ＥＡＳ）（Ｅｌｅｃｔｒｏｎｉｃ  Ａｒｔｉｃｌｅ  Ｓｕｒｖｅｉｌｌａｎｃｅ）システムは、監視システムおよび１つまたは複数のセキュリティタグなどで構成されている。監視システムは、管理区域の進入地点に監視ゾーンを作ることができる。セキュリティタグは、例えば、スポーツ用品、眼鏡、宝石、瓶などの耐久財物品よりなる監視対象物品に取設されたセキュリティ機器に封入されている。監視対象物品が監視ゾーンに進入した場合、アラームを発して無許可の移動がなされたことを示す。
【０００５】
セキュリティ機器は、多数の様々な物品に取り付けられる。セキュリティ機器の物品からの取り外しは、無許可の場合には比較的困難である一方、許可されている場合には可能であることが望ましい。したがって、一般のセキュリティ機器、および、特にセキュリティ機器を物品に取設するためのシステムにおいて、改良された技術が必要とされている。
【０００６】
実施形態とされる主題は、特に本明細書の結論部分で特定的に指示され、且つ、明確に主張されている。しかしながら、動作構成および動作方法についての実施形態を十分に理解するには、以下の詳述を参照する際に、添付図とともに読まれることが望まれる。
【発明を実施するための最良の形態】
【０００７】
実施形態は、例えば、眼鏡などの物品をセキュリティタグなどと組み合わせるための、装置、システム、および方法に関連する。
【０００８】
例えば、一実施形態は、ロック機構と、セキュリティタグと、筐体とを含むセキュリティ機器などより構成される。ロック機構は、磁気的に作動可能なラッチと、磁気的に作動可能なラッチをロック位置に付勢する可撓性要素と、ロック位置にある磁気的に作動可能なラッチの少なくとも１部分と噛み合うラッチ噛み合わせ要素などより構成される。ここで用いられるように、「ロック位置」は、磁気的に作動可能なラッチの位置を示し、該ラッチがラッチ噛み合わせ要素に関して、部分的または完全に、ラッチ噛み合わせ要素の中空部分内にあるか、ラッチ噛み合わせ要素と係合するか、結合するか、あるいは噛み合う位置にあることなどを示す。筐体は、ロック機構、セキュリティタグ、ラッチ噛み合わせ要素、および物品を、部分的または完全に、内包あるいは封入する構造であるか、または他の方法によりそれらの要素が筐体自身に取設されるように構成された構造を持つ。取設により、ロック機構の磁気的に作動可能なラッチは、ラッチ噛み合わせ要素とロック位置に噛み合って、筐体を物品にロックすることにより、筐体に固着されたセキュリティタグを物品にロックされる。筐体がロック状態にあるとき、セキュリティ機器は物品からの筐体の分離を防止するか、あるいは分離に対する抵抗作用を供する。別の実施形態は、セキュリティ機器および取り外し器を含むセキュリティ・システムなどで構成されるが、この取り外し器は、磁石を含む機器であってもよい。取り外し器は、磁力によって磁気的に作動可能なラッチをロック位置から外すことにより、筐体をロック解除するために用いられてもよい。
【０００９】
なお、本明細書において「一実施形態」または「実施形態」という表現は、その実施形態に関連して記載される特定の特徴、構成、特性が、少なくとも１つの実施形態に含まれることを意味するものである。「一実施形態」という文言が本明細書の様々な箇所に出現するが、それら全てが同一の実施形態を示すとは限らない。
【００１０】
複数の実施形態の十分な理解を提供するために、多数の具体的な詳細が本明細書で説明される。しかし、これらの実施形態がこれらの具体的な詳細がなくとも実施できることは、当業者には理解できるものと考えられる。その他の例では、これらの実施形態が不明瞭となることを避けるために、周知の方法、手順、構成部品については詳細な説明はしていない。本明細書に開示される構成上および機能上の具体的な詳細が典型的なものであり、必ずしもこれらの実施形態の範囲を限定するものではないことは、理解されるものと考えられる。
【００１１】
全体を通じて同様の箇所には同様の参照番号が付されている図面をここで参照する。図１には、一実施形態に係るキュリティ・システム１およびセキュリティ機器２に含まれる構成部品の前面図が示されている。この実施形態では、キュリティ・システム１は、セキュリティ機器２および取り外し器４０を含む。セキュリティ機器２は、ロック機構１０と、セキュリティタグ２０と、筐体３０とを含んでもよい。
【００１２】
ロック機構１０は磁気的に作動可能なロック機構であってもよく、磁気的に作動可能なラッチ１２と、可撓性要素１６と、ラッチ噛み合わせ要素１８とを含んでもよい。
【００１３】
磁気的に作動可能なラッチ１２は基底部分１３と、ラッチ部分１４と、中央部分１５より構成される。基底部分１３は基底部分端部１３Ａと側面１３Ｂと側面１３Ｃとを含み、ラッチ部分１４はラッチ部分端部１４Ａを含んでいる。
【００１４】
磁気的に作動可能なラッチ１２は、基底部１３がラッチ部分１４および中央部分１５の両者と同じ幅を有するような、実質的に長方形の形状の表面を有してもよい。基底部分１３の幅、または側面１３Ｂと側面１３Ｃ間の距離は、ラッチ部分１４と中央部分１５の対応する幅と同じであってもよい。別の実施形態では、基底部分１３、ラッチ部分１４、および中央部分１５の幅は異なってもよい。磁気的に作動可能なラッチ１２は、薄く均一な断面を有してもよい。
【００１５】
一方、磁気的に作動可能なラッチ１２は、別の構成であっても良いし、１つまたは複数の部分品を含んでもよく、また、任意の点、線、面に対して対称性または非対称性を有してもよい。例えば、様々な実施形態において、磁気的に作動可能なラッチ１２は、面がＴ字状、Ｉ字状、曲線状、または他の形状であり、且つ長方形、円形、または太い空洞を有するか他の中空部分を有し、且つ／または不均一な断面を有し、または磁気的に作動可能なラッチ３１２、５１２、および７１２の実施形態に関するここでの記載に応じたものであってもよい。別の一実施形態では、磁気的に作動可能なラッチ１２のラッチ部分端部１４Ａは、１つまたは複数の、歯、リブ、ノッチ、鋸歯状突起、尖頭、曲線、中空部分、または磁気的に作動可能なラッチ３１２、５１２、および７１２の実施形態に関して本明細書で記載されているような他の形状を含んでもよい。加えて、基底部分端部１３Ａは、連続的または不連続であってもよい。磁気的に作動可能なラッチ１２は、本明細書に記載されているように、ラッチ噛み合わせ要素１８に関して、これと係合し、これを受け、これに挿入し、または他の方法でこれと噛み合うように構成されていてもよい。
【００１６】
一実施形態では、セキュリティ機器２は、別の可撓性要素１６およびラッチ噛み合わせ要素１８とともにセキュリティ機器２の同一のまたは異なった部分に配置されてもよい複数の磁気的に作動可能なラッチ１２を含んでもよい。例えば、一実施形態では、複数の磁気的に動作可能なラッチ１２は、例えば物品を固着する部分またはセキュリティタグ２０を固着する部分などの、セキュリティ機器２の別の部分と協働してその部分をロックしてもよい。
【００１７】
磁気的に作動可能なラッチ１２は、鉄、ニッケル、もしくはコバルト、または鉄、ニッケル、もしくはコバルトの合金などの磁性材料を含むか、またはこれらから形成されてもよい。一実施形態では、磁気的に作動可能なラッチ１２は、１つまたは複数の磁性材料を含んでもよく、また１つまたは複数の非磁性材料を含んでもよい。
【００１８】
可撓性要素１６は、立方体、楕円体、コイル状、または本明細書に記載される他の任意の形状などの所望の形状を有してもよく、且つ１つまたは複数の部分品を含んでもよく、また磁気的に作動可能なラッチ１２に関して、これと組み合わせられていても、またこれと一体となっていてもよい。一実施形態では、可撓性要素１６は、例えば板バネなどの片持ちアームの形状であってもよい。可撓性要素１６は、軽量、多孔性、半剛性、弾性、ガス状、および／または海綿状の可撓性材料であって圧縮時に抵抗力を提供する材料などの可撓性材料を含むか、またはこの材料から形成されていてもよく、また圧縮力が除去された際に、非圧縮時の形状を部分的または完全に回復してもよい。例えば、様々な実施形態において、可撓性要素１６は、スポンジゴム、ポリマーフォーム、セラミックフォーム、または他の発泡体、且つ／または別の１つまたは複数の材料を含んでもよく、またはこれもしくはこれらから形成されてもよい。可撓性要素１６は、さらにまたは代替的に、圧縮時に抵抗力を提供するように構成されてよい。例えば、様々な実施形態において、可撓性要素１６は、金属、ポリマー、セラミック、および／または別の１つまたは複数の材料を含む部材であって、コイル、板バネ、もしくは他の片持ちアーム、他のバネ、または他の同様の部材として構成されてもよい。可撓性要素１６は、任意の質量を有してよい。
【００１９】
ラッチ噛み合わせ要素１８は、１つまたは複数の孔または中空部分、リブ、歯、突起、または他の形状などを有する、所望の構成を有してもよい。ラッチ噛み合わせ要素１８は、１つまたは複数の部分品を含んでもよく、または本明細書に記載されているように、筐体３０と別個または一体であってもよい。ラッチ噛み合わせ要素１８は、磁気的に作動可能なラッチ１２の少なくとも１部分と係合し、これを受け、これに挿入し、または他の方法でこれと噛み合ってもよい。例えば、磁気的に作動可能なラッチ１２が、長方形の形状を有する細長い部材である一実施形態では、ラッチ噛み合わせ要素１８は、本明細書に記載されているように、磁気的に作動可能なラッチ１２またはその１部分がロック位置に挿入される中空部分を有するように構成されていてもよい。磁気的に作動可能なラッチ１２がそのラッチ部分端部１４Ａで噛み合う実施形態では、ラッチ噛み合わせ要素１８はロック位置に歯を噛み合わせるリブを有するように構成されていてもよい。
【００２０】
セキュリティタグ２０は、セキュリティタグまたはラベルなどの検出可能な機器またはシステムであってもよい。例えば、様々な実施形態では、セキュリティタグ２０は任意の種類のＥＡＳタグ（例えば、無線周波数（ＲＦ）（Ｒｅｄｉｏ  Ｆｒｅｑｕｅｎｃｙ）タグ、音響磁気式タグ、および／またはこれらの組み合わせ）、無線周波数識別（ＲＦＩＤ）（Ｒａｄｉｏ  Ｆｒｅｑｕｅｎｃｙ  Ｉｄｅｎｔｉｆｉｃａｔｉｏｎ）タグ、スマートタグ、または他の検出可能な盗難防止もしくは他のタグであってもよい。セキュリティタグ２０は、セキュリティタグまたはラベルの種類に応じて音響磁気式検出器、電磁式検出器、無線周波数式検出器、または他の検出器などの、対応する検出システムまたは機器によって検出可能であってもよい。
【００２１】
筐体３０は、任意のケーシングまたは他の構造としてもよい。図１の実施形態で部分的に示されているように、この筐体３０の構造は、部分的あるいは全体的に、ロック機構１０およびセキュリティタグ２０を包含したり、取り囲んだり、封入したり、あるいは貼り付いたり、噛み合ったりすることで、あるいはその他の方法によりこれらを固着する。また、この構造においては、さらにロック機構１０がロック位置にありそれによって筐体がロックされているとき、ロック機構１０およびセキュリティタグ２０に加えて物品も固着される。筐体３０およびロック機構１０は、このように物品を筐体３０に固着またはロックし、それによってセキュリティ機器２を固着またはロックしてもよい。筐体３０は、所望の構成を有してもよく、筐体３３０、５３０、および７３０の実施形態に関して本明細書に記載されているように、固着するように設計されたロック機構１０、セキュリティタグ２０、および物品の形状に基づく形状を有してもよい。筐体３０は、筐体３０と一体であるラッチ噛み合わせ要素１８を含んでもよく、代替的に、ラッチ噛み合わせ要素１８と組み合わされるように構成されてもよい。筐体３０は、ポリマーおよび／または別の１つまたは複数の材料を含んでもよい。
【００２２】
セキュリティ機器２に含まれる構成部品は、以下のセキュリティ機器の実施形態に記載されているように、セキュリティ機器２が物品にロックされるように構成されてもよい。セキュリティタグ２は再利用可能または使い捨てであってもよい。
【００２３】
図１Ａから図１Ｄは、一実施形態に係る図１に示される取り外し器４０の斜視図、上面図、正面図、および側面図である。取り外し器４０は、磁石４２を含み収容する機器であってよい。磁石４２は、任意の永久磁石または電磁石などの、任意の種類の磁石であってよい。キュリティ・システム１に関して、取り外し器４０は、物品からセキュリティ機器２をロック解除するために、セキュリティ機器２とともに用いられてもよい。磁気的に作動可能なラッチ１２を磁気の力でロック位置から移動させて、ロック状態にあってもよい物品からセキュリティ機器２の筐体３０を取り外すために、取り外し器４０は、セキュリティ機器２の磁気的に作動可能なラッチ１２に妥当に隣接していてもよい。
【００２４】
様々な実施形態では、取り外し器４０は異なった複数の磁石４２を含んでもよい。例えば、磁気的に作動可能なラッチ１２をロック位置から移動させ、それによってセキュリティ機器２をロック解除するに必要な磁力に基づいて、取り外し器４０の磁石４２が選択されてもよい。この磁力は、その移動に対抗する力を相殺する以上の力が必要となることもある。そのような対抗力は、例えば、磁気的に作動可能なラッチ１２によって圧縮される際に可撓性要素１６によって与えられる抵抗力、筐体３０および／または他の要素と接触する磁気的に作動可能なラッチ１２によって移動時に生じる摩擦力、およびその他の力などを含んでもよい。様々な構成を有する様々なセキュリティ機器において取り外し器４０が用いられる別の実施形態では、ロック解除にあたり最強の磁石が要求されるセキュリティ機器を十分にロック解除できるような強度を有する磁石４２が選択されてもよい。
【００２５】
一実施形態では、セキュリティ機器２は使い捨て用に構成されてもよい。例えば、図１Ｅから図１Ｆに示される一実施形態では、セキュリティ機器２の磁気的に作動可能なラッチ１２は、ロック位置でラッチ噛み合わせ要素１８と噛み合いながら、チャネル３の内部に位置してもよい。１つまたは複数の板バネ、または片持ちアーム４および５のような片持ちアームが、バネによる負荷が加わった構成でチャネル３に位置する。
【００２６】
例えば、片持ちアーム４は、図１Ｅに示されているように、無負荷の姿勢にあってもよい。片持ちアーム４は、その側面４Ａがチャネル壁３Ａに隣接するような姿勢で曲げられて、バネによる負荷がかけられてもよい。次に、磁気的に作動可能なラッチ１２は、片持ちアーム４の移動を防ぎバネによる負荷を保つように、他の面４Ｂに隣接するロック位置でチャネル３に配置されてもよい。片持ちアーム５も同様の姿勢にあってもよい。次に、磁気的に作動可能なラッチ１２は次に取り外し器４０によってロック位置から移動させられると、片持ちアーム４および５は、もはや磁気的に作動可能なラッチ１２によって固定されなくてもよく、はねもどるかまたは他の方法で、無負荷の姿勢に戻ってもよい。これらの姿勢において、磁気的に作動可能なラッチ１２の基底部分１３が片持ちアーム４および５の前を通過できない状態で、片持ちアーム４および５が磁気的に作動可能なラッチ１２の基底部分１３をブロックするようにチャネル３にまで伸びていて、磁気的に作動可能なラッチ１２はロック位置に戻ることができなくてもよい。すると、いくらセキュリティ機器を追加しても、もはやロックすることはできないこともある。
【００２７】
別の実施形態では、片持ちアーム４および５のうち、１つのみが含まれる。他の様々な実施形態では、セキュリティ機器が２度使用されるのを防ぐために、例えば、コイルまたは他のバネ、ゴム、および発泡体などの他の弾性要素が、チャネル３または筐体の他の部分内で用いられてもよい。
【００２８】
図１Ｇから図１Ｊに示されているような別の実施形態では、磁気的に作動可能なラッチ１２がロック位置から移動させられる毎に、磁気的に作動可能なラッチ１２がロック位置に再度位置できるようにリセットするように、ロック機構および筐体部分が構成されてもよい。例えば、チャネル基底端部１３Ａが引っ込み部７に隣接するように、磁気的に作動可能なラッチ１２がチャネル６に配置されてもよい。引っ込み部７は、磁気的に作動可能なラッチ１２がロック位置から移動するように付勢されるとき、磁気的に作動可能なラッチ１２の少なくとも１部分が引っ込み部７に、落ちるか、または別の方法で入り込むように促されるように構成されてもよい。引っ込み部は、磁気的に作動可能なラッチ１２をロック位置に向かう動きを制限してもよい壁部８によって画定されてもよい。この実施形態では、磁気的に作動可能なラッチ１２を引っ込み部から移動させうる磁石を用いるなどにより、磁気的に作動可能なラッチ１２が配置されるセキュリティ機器を使用するために「リセット」してもよい。
【００２９】
別の実施形態では、図２から図１６の実施形態に関して記載されるような固定長尺部材（ＣＥＭ）（Ｃｏｎｓｔｒａｉｎｅｄ  Ｅｌｏｎｇａｔｅ  Ｍｅｍｂｅｒ）セキュリティ機器３０２は、ロック機構３１０と、セキュリティタグと、筐体３３０とを含んでもよい。「固定長尺部材」または「ＣＥＭ」とは、本明細書で記載されているようなセキュリティ機器のトンネルに通されるとそのトンネルからの取り出しが制限される長尺要素を含む構造である。「トンネル」とは、任意の孔、導管、開口部、または構造を貫通する他の中空部分であってもよく、また特定の実施形態では長尺状の形状を有してもよい。固定長尺部材は、固定長尺部材の一端から伸長する物品の部分によって固定されてもよく、トンネルから固定長尺部材を取り除こうとすることに対してブロックもしくは他の方法で妨げるかまたは抵抗するようなサイズ、形状、角度、またはその他の構成を有する。
【００３０】
例えば、固定長尺部材を有する１つの物品は、１つの眼鏡であってもよい。ただし、この眼鏡の固定長尺部材は、１本のつるの根本の部分であってもよい。眼鏡のつるは、眼鏡の部分であって、つるの根本の部分と末端の部分を含む部分であってもよい。つるの根本の部分は眼鏡のフレームからつるの末端の部分に伸長していてもよく、つるの末端部は、さらに、つるの根本の部分から、湾曲するなどの形状で、角度を有して伸長し、着用者の耳に隣接してフィットするように構成されてもよい。つるの根本の部分がトンネルを通ると、つるの末端の部分は、つるの根本の部分に対して角度を有しているため、トンネルからつるの末端の部分を引こうとすることを防ぐかまたはそれに対して抵抗してもよく、それによって、セキュリティ機器のトンネルから眼鏡を取り除くことを防ぐか、またはそれに対して抵抗してもよい。
【００３１】
別の例では、特定のネックレスおよび鎖などの、端部を有しない（すなわち循環する）長尺部材は、例えばトンネルから滑らせるまたは引き抜く端部がないので、固定長尺部材でもある。
【００３２】
固定長尺部材のセキュリティ機器は、トンネル内に固定長尺部材を囲み、それのようにしてセキュリティ機器をトンネルにロックしてもよい。
【００３３】
図２から図５は、一実施形態に係るＣＥＭ用セキュリティ機器３０２の様々な斜視図を示すものであり、その対応する要素が説明されるときに参照されてもよい。この実施形態のＣＥＭ用セキュリティ機器３０２は、以下に記載するように、下部筐体３５０、上部筐体３７０、ロック機構カバー３８０、およびハンドル組立体３９０を含んでもよい筐体３３０を含む。それぞれの部分は、プラスチックおよび金属などの、１つまたは複数の材料を含んでもよく、それらの部分は、同じまたは異なる材料、またはそれらの混合を含んでもよい。
【００３４】
図６から図８は、一実施形態に係るＣＥＭ用セキュリティ機器３０２の上面図、正面図、および側面図をそれぞれ示すものである。この実施形態に示されているように、筐体３３０およびＣＥＭ用セキュリティ機器３０２は、図２の上面図に見られるように、少なくとも部分的には長方形であるが、外部に湾曲した面３３４も有する上部外面３３２を有してもよい。上部外面３３２は、以下に記載されるように、１つまたは複数の突起部分と、ハンドル４３２および４３４とを含んでもよい。筐体３３０はその厚みが薄く、ハンドル４３２および４３４の付近において、その厚みが最大となってもよい。一実施形態では、筐体３３０の外寸は、上部外面３３２において側部の概寸法Ｓ３およびＳ４がそれぞれ４２ｍｍおよび２８．３６ｍｍであり、筐体３３０の厚みの概寸法Ｔ１およびＴ２がそれぞれ１３．１４ｍｍおよび５．３６ｍｍであってもよい。様々な実施形態では、筐体３３０および筐体の構成部品は、例えば、図１の実施形態の筐体３０に関して記載されているような、所望のサイズおよび寸法を有してもよい。筐体３３０は、本明細書に記載されているように、セキュリティタグと、眼鏡のつるまたは他のＣＥＭとを固着し、それによってＣＥＭ用セキュリティ機器３０２を、以下に記載されているように、ＣＥＭにロックしてもよいように構成されてもよい。
【００３５】
図９は、一実施形態に係る、含まれてもよい複数の要素を示す、ＣＥＭ用セキュリティ機器３０２の分解図である。対応する要素が説明される箇所で、この図が参照されてもよい。
【００３６】
図１０から図１３は、一実施形態に係る、ＣＥＭ用セキュリティ機器３０２のロック機構３１０またはその部分と、下部筐体３５０と、および上部筐体３７０との、それぞれ斜視図と、上面図と、側面図である。図１１から図１３も、一実施形態に係る、ハンドル組立体３９０を示す図である。
【００３７】
図１０から図１３に参照する。ロック機構３１０は、磁気的に作動可能なラッチ３１２またはその部分と、可撓性要素３１６と、ラッチ噛み合わせ要素３１８を含んでもよい。磁気的に作動可能なラッチ１２は磁性材料を含んでもよく、図１の磁気的に作動可能なラッチ１２に関して記載されているような１つまたは複数の材料を含んでもよい。磁気的に作動可能なラッチ３１２は、基底部分端部３１３Ａと側面３１３Ｂおよび３１３Ｃとを含んでもよい基底部分３１３と、ラッチ部分端部３１４Ａを含んでもよいラッチ部分３１４と、中央部分３１５とを含んでもよい。
【００３８】
磁気的に作動可能なラッチ３１２は、Ｔ字状の形状を有してもよい。基底部分側面３１３Ｂおよび３１３Ｃは平行であってもよく、それぞれが少なくとも実質的に直線状であってもよく、基底部分側面３１３Ｂと３１３Ｃ間の距離であってもよい基底部分３１３の幅は、磁気的に作動可能なラッチ３１２の他の幅よりも広くてもよい。基底部分端部３１３Ａは平板状であってもよく、基底部分側面３１３Ｂおよび３１３Ｃに対して実質的に垂直であってもよい。磁気的に作動可能なラッチ３１２は、厚みが薄いように構成されてもよい一方、図１が示す磁気的に作動可能なラッチ１２に関して本明細書に記載されているように、様々な実施形態では他の構成を有してもよい。
【００３９】
可撓性要素３１６は可撓性材料を含んでも、またこれで形成されてもよく、図１に示される可撓性要素１６に関して本明細書に記載されているように、１つまたは複数の材料を含んでもよい。可撓性要素３１６は、一実施形態では、側面３１６Ａが側面３１６Ｂよりも広いような、実質的に立方体の形状を有するように構成されてもよく、別の形状を有してもよい。別の様々な実施形態では、図１の磁気的に作動可能なラッチ１２に関して記載されているように、可撓性要素３１６は、コイル、他のバネ、または同様の部材として構成されてもよく、コイル、他のバネ、または同様の部材を含んでもよい。
【００４０】
ラッチ噛み合わせ要素３１８は、筐体３３０またはその部分と一体になっていてもよく、以下に記載されているように、ハンドル組立体３９０に引っ込み部を含んでもよく、別の１つまたは複数の部分品であってもよい。
【００４１】
筐体３３０の下部筐体３５０は、ロック機構３１０の磁気的に作動可能なラッチ３１２および可撓性要素３１６がその内部に隣接して配置されるように構成されてもよい。次に、磁気的に作動可能なラッチ３１２の基底部分端部３１３Ａは、可撓性要素３１６の近くに配置されても、これに接していてもよい。このような構成を有しているために、磁気的に作動可能なラッチ３１２および可撓性要素３１６の動きは、１つまたは複数の方向に制限されてもよい。
【００４２】
例えば、下部筐体３５０は、チャネル端部壁３６５と、チャネル壁３６６および３６８と、チャネル壁３６６および３６８に画定されチャネル端部壁３６５によって境界が示されるチャネル３６４を含んでもよい。チャネル壁３６６および３６８は、実質的に互いに平行な部分を含んでもよく、基底部分側面３１３Ｂおよび３１３Ｃと、中央部分３１５およびラッチ部分３１４の側面とにおいて、磁気的に作動可能なラッチ３１２の近くに配置またはこれに接していてもよく、それによって磁気的に作動可能なラッチ３１２の動きは、実質的に直線方向の動きであってもよい、チャネル３６４に沿った動きに制限される。
【００４３】
様々な実施形態では、磁気的に作動可能なラッチ３１２は、回転運動、回転運動および直線運動の組み合わせ、または１つまたは複数の別の方向の運動を行ってもよい。これらの様々な別の実施形態では、１つまたは複数のチャネル３６４と、可撓性要素３１６と、ラッチ噛み合わせ要素３１８とは、磁気的に作動可能なラッチ３１２を１つまたは複数の方向に導くような、輪郭、形状、他の構成を有してもよい。以下に記載する磁気的に作動可能なラッチ５１２および７１２も、様々な実施形態で、１つまたは複数の方向に動いてもよい。
【００４４】
磁気的に作動可能なラッチ３１２がロック位置から引き離されて可撓性要素３１６に押しつけられる際に、磁気的に作動可能なラッチ３１２の力およびチャネル端部壁３６５の抵抗力によって可撓性要素３１６が圧縮されうるように、可撓性要素３１６はチャネル端部壁３６５に近接して配置されてもよい。そのような圧縮力に対して、可撓性要素３１６は磁気的に作動可能なラッチ３１２の運動に対し抵抗してもよい。
【００４５】
上述のように様々な実施形態の各々では、チャネル３６４と、チャネル壁３６６および３６８とが、そのような磁気的に作動可能なラッチ３１２を収容するように構成されてもよく、磁気的に作動可能なラッチ３１２の動きを１つまたは複数の方向に制限することができうるように、磁気的に作動可能なラッチ３１２が別の形状を有してもよい。これらの実施形態の各々では、可撓性要素３１６はチャネル３６４の内部にはまり込むように構成されてもよい。
【００４６】
筐体３３０の下部筐体３５０は、さらにまたは代替的に、上部筐体３７０と、ロック機構カバー３８０と、ハンドル組立体３９０と、ＣＥＭとを受けるように構成されてもよい。一実施形態では、下部筐体３５０は上部筐体受け取り部分３５１と、ロック機構カバー受け取り部分３５２と、ハンドル組立体受け取り部分３５３と、ＣＥＭトンネル壁３６２とを含んでもよい。
【００４７】
上部筐体受け取り部分３５１は、上部筐体３７０の同様の形状を有する引っ込み部を受けてもよい上部筐体受け取り壁３５１Ａを含んでもよい。上部筐体受け取り部分３５１は、代替的に上部筐体３７０の構成に基づいた構成を有してもよく、または上部筐体３７０を受けるような別の構成を有してもよい。
【００４８】
ロック機構カバー受け取り部分３５２は、ロック機構カバー３８０の同様の形状を有する引っ込み部を受けてもよいロック機構カバー受け取り壁３５２Ａを含んでもよい。ロック機構カバー受け取り部分３５２は、代替的にロック機構カバー３８０の構成に基づく構成を有してもよく、またはロック機構カバー３８０を受けるような別の構成を有してもよい。
【００４９】
ハンドル組立体受け取り部分３５３は、ハンドル組立体３９０の滑り子４００および４１０がそれぞれ以下に記載するように伸長する経路３５４および３５６を含んでもよい。経路３５４および３５６は、それぞれ経路３５７および３５８によって画定される中空部分を含んでもよい。経路壁３５７および３５８は、少なくとも部分的にＵ字型の形状を有してもよく、さらに面取り箇所３５７Ａおよび３５８Ａと、上部壁３５７Ｂおよび３５８Ｂとをそれぞれ含んでもよい。
【００５０】
ＣＥＭトンネル壁３６２は、Ｕ字形状、または眼鏡のつるの根本の部分もしくは他のＣＥＭを受けるような別の構成を有してもよい。ハンドル組立体３９０のＣＥＭトンネル覆い３９６が、以下に記載されるように、ＣＥＭトンネル壁３６２に隣接しＣＥＭの上部に配置される場合、ＣＥＭトンネル３６０はそれらによって画定されてもよい。ＣＥＭはこのように取り囲まれて取り除かれることからブロックされ、そのようにしてＣＥＭトンネル覆い３９６が取り除かれていないとき、ＣＥＭ用セキュリティ機器３０２に固着されてもよい。
【００５１】
上部筐体３７０は、少なくとも部分的に長方形の形状を有し、および／または筐体３３０の１部分と同様の形状を有するように構成されてもよい。上部筐体３７０は、Ｌ字状の形状を有してもよく、以下に記載されるように、上部筐体３７０をハンドル組立体３９０に連結しうるフランジ３７２を含んでもよい。上部筐体３７０は、厚みが薄くてもよく、また一方、様々な実施形態で上部筐体３７０は、連結時に、下部筐体３５０の連結壁３５１Ａを受けるように、別の方法で、または加えて、構成されてもよい。溶接、融解、接着剤接着、スナップフィット（例えば、下部筐体３５０および上部筐体３７０が噛み合わせ突起および中空部分とともに構成される箇所などで）、締り嵌め、および／または他の固着手段によって、上部筐体３７０は、さらにまたは代替的に、下部筐体３５０に固着されてもよい。
【００５２】
図９に戻って参照する。ロック機構カバー３８０は、少なくとも部分的には長方形であるが、外部に湾曲した面３３４も有するように構成されてもよく、図６の実施形態に関して記載されているように、筐体３３０の外面３３２の同様の形状を有する部分を含んでもよい。ロック機構カバー３８０は、「Ｌ字」形状を有しうるフランジ３８２を含んでもよく、以下に説明されるように、ハンドル組立体３９０と連結してもよいフ。フランジ３８２は、上部筐体３７０のフランジ３７２と同様の形状を有してもよい。
【００５３】
ロック機構カバー３８０は厚みが薄くてもよいが、一方、様々な実施形態では、ロック機構カバー３８０は、下部筐体３５０に固着され、且つロック機構３１０の磁気的に作動可能なラッチ３１２と可撓性要素３１６の上部にあるように、別の方法で構成されてもよい。溶接、融解、接着剤接着、スナップフィット（例えば、下部筐体３５０およびロック機構カバー３８０が噛み合わせ突起および中空部分とともに構成される箇所などで）、締り嵌め、および／または他の固着手段によって、ロック機構カバー３８０は下部筐体３５０に固着されてもよい。ロック機構カバー３８０は、例えば、図２から図５の実施形態でも図示されていて、これらの図はこの記載に関して参照されてもよい。
【００５４】
図１４から図１５はそれぞれ、例えば図１０から図１３に示されるような、ハンドル組立体３９０の下位組立体３９０Ａおよび上位組立体３９０Ｂの実施形態を図示するものである。ハンドル組立体３９０は、この実施形態では、セキュリティタグをハンドル組立体３９０に封入するかまたは他の方法で固着してもよい。
【００５５】
図１４に参照する。下位組立体３９０Ａは、中空であるか、またはセキュリティタグもしくはセキュリティタグを部分的に含むように他の方法で構成される腔３９２を含む、長尺部材であってもよい。例えば一実施形態では、腔３９２は１つまたは複数の線形アモルファス共振器（Ｌｉｎｅａｒ  Ａｍｏｒｐｈｏｕｓ  Ｒｅｓｏｎａｔｏｒ）３９４を含んでもよい。一実施形態では、腔が３つの線形アモルファス共振器３９４を含んでもよい。
【００５６】
下位組立体３９０Ａは、ＣＥＭトンネル覆い３９６に画定される、引っ込み部を有する下面を含んでもよい。ＣＥＭトンネル覆い３９６は、下部筐体３５０のＣＥＭトンネル壁３６２に隣接してはまり込むように構成されてもよく、それによってＣＥＭトンネル壁３６２とともに、ＣＥＭトンネル３６０を画定してもよい。ＣＥＭトンネル覆い３９６は、「Ｕ字」形状を有し、しかも面取り噛み合わせ面３９６Ａおよび３９６Ｂを有するように構成されてもよい。このような構成を有して、面取り噛み合わせ面３９６Ａおよび３９６Ｂが面取り箇所３５７Ａおよび３５８Ａに隣接する状態で、ＣＥＭトンネル覆い３９６が上部壁３５７Ｂおよび３５８Ｂに隣接しうるように、ハンドル組立体３９０は下部筐体３５０に配置されてもよく、一方、様々な実施形態では、ＣＥＭトンネル覆い３９６および下部筐体３５０は、別の噛み合わせの方式を有するように構成されてもよい。
【００５７】
上部壁４０２および４１２を含み連結凹み４０４および４１４にそれぞれ隣接してもよい滑り子４００および４１０を、下位組立体３９０Ａは含んでもよい。そのような構成を有しているので、ＣＥＭセキュリティ機器３０２が組み立てられる際、上部筐体３７０およびロック機構カバー３８０は滑り子４００または４１０と連結されてもよい。上部筐体３７０のフランジ３７２は、例えば図２から図５および図８の実施形態に示されているように、上部壁４１２の上に伸長して滑り子４１０の連結凹み４１４に至ってもよく、ロック機構カバー３８０のフランジ３８２は、上部壁４０２の上に伸長して滑り子４００の連結凹み４０４に至ってもよい。別の様々な実施形態では、上部筐体３７０、ロック機構カバー３８０、ハンドル組立体３９０は、例えば図１７に示されるＣＥＭ用セキュリティ機器５０２に関して記載されているように、真っ直ぐで互いに重なり合った壁を有するなどの、様々な噛み合わせ構造を有してもよい。組み立て時にそのような構成を有しているために、ハンドル組立体３９０が、筐体３３０に対して、下部筐体３５０の経路壁３５４および３５６に沿う方向以外の動きをすると、上部筐体３７０およびロック機構カバー３８０はその動きを妨げるかまたは抵抗してもよい。
【００５８】
別の実施形態では、ハンドル組立体３９０は下部筐体３５０と様々に連結してよい。例えば、一実施形態では、ハンドル組立体３９０は、ハンドル組立体３９０の細長い側の１つにおいて、下部筐体３５０と蝶つがいによって連結されてもよい。その反対側の側は、ハンドル組立体３９０が下部筐体３５０に配置されているときにポケットまたは溝穴が磁気的に作動可能なラッチ３１２を受けるために一直線にならぶように、その側において伸長しているポケットまたは溝穴を含んでもよい。受けられる時に、磁気的に作動可能なラッチ３１２は、ハンドル組立体が回転して筐体から離れることを妨げるかまたはそれに抵抗してもよい。磁気的に作動可能なラッチ３１２がロック位置から離れてハンドル組立体３９０のポケットまたは溝穴から出るとき、ハンドル組立体は蝶つがいを軸にして回転してＣＥＭトンネル３６０を露出させ、そのようにして内部に配置されたＣＥＭを取り除くことができるようにしてもよい。
【００５９】
一実施形態では、ハンドル組立体３９０は、下部筐体３５０とともに、またはセキュリティ機器３０２に対して、摺動または蝶つがいの組み合わせによってセキュリティ機器３０２に連結されてもよい。例えば、一実施形態では、ハンドル組立体３９０は、蝶つがいを形成する構造に接するまで、下部筐体３５０に沿って部分的に摺動してもよい。次に、ハンドル組立体３９０は蝶つがいを軸にして回転し、ＣＥＭトンネル３６０を露出させ、そのようにして内部のＣＥＭを露出させてもよい。
【００６０】
滑り子４００および４１０は、それぞれラッチ噛み合わせ要素３１８および３１９を含んでもよく、これらのラッチ噛み合わせ要素３１８および３１９は同様の構成を有してもよい。ラッチ噛み合わせ要素３１８は、ラッチ噛み合わせ要素壁３１８Ａ、引っ込み部３１８Ｂ、またはラッチ噛み合わせ要素壁３１８Ａによって画定される他の中空部分を含んでもよい。ラッチ噛み合わせ要素３１９は、滑り子４１０の部分として、ラッチ噛み合わせ要素壁３１９Ａおよび引っ込み部３１９Ｂと同様の構成を有してもよい。
【００６１】
ラッチ噛み合わせ要素３１８および３１９は、ＣＥＭ用セキュリティ機器３０２が組み立てられているとき、ラッチ噛み合わせ要素３１８および３１９の１つがロック機構３１０の磁気的に作動可能なラッチ３１２と一直線になるような位置にあってもよい。一実施形態では、ＣＥＭ用セキュリティ機器３０２が磁気的に作動可能なラッチ３１２に対向しながら、本明細書に記載されているように、ラッチ噛み合わせ要素３１８または３１９のいずれかとともに、下部筐体３５０に配置されるように、ＣＥＭ用セキュリティ機器３０２は対称性を有してもよい。
【００６２】
ロック機構３１０の可撓性要素３１６は、例えば図１１から図１２に示されているように、磁気的に作動可能なラッチ３１２をラッチ噛み合わせ要素引っ込み部３１８Ｂまたは３１９Ｂに付勢してもよい。そのような構成は、下部筐体３５０の経路３５４および３５６に沿ったハンドル組立体３９０の動きを妨げるかまたはそれに抵抗してもよい。上述のように、磁気的に作動可能なラッチ３１２は上部筐体３７０およびロック機構カバー３８０とともに協働して、ハンドル組立体３９０（およびその内部に封入されたセキュリティタグ）がＣＥＭ用セキュリティ機器３０２の他の部分から離れる動きに対して妨げるかまたは抵抗し、それによってハンドル組立体３９０の取り外しに対して妨げるかまたは抵抗してもよい。
【００６３】
滑り子４００は面取り端４０６Ａおよび４０６Ｂを含んでもよく、滑り子４１０は面取り端４１６Ａおよび４０６Ｂを含んでもよい。これらの面取り端は、滑り子４００および４１０がそれぞれ経路３５４および３５６の中に摺動すること、および／または経路３５４および３５６から摺動することを促してもよい。
【００６４】
図１５に参照する。ハンドル組立体３９０の上位組立体３９０Ｂは上部面４３０を含んでもよい。上部面４３０は、少なくとも部分的に平面状であってもよく、１つまたは複数のハンドル４３２および４３４を含んでもよく、ハンドル４３２および４３４は、下部筐体３５０の経路３５４および３５６に沿ってハンドル組立体３９０を押すことおよび引くことを促してもよい。上述のようにセキュリティタグが１つまたは複数の線形アモルファス共振器３９４を含むなどの、一実施形態では、上位組立体３９０Ｂは、磁化バイアス４４０が内部に配置されていてもよい溝穴４４２を含んでもよい。
【００６５】
溶接か、または、一実施形態で１つまたは複数のアモルファス共振器３９４および磁化バイアス４４０を含んでもよいセキュリティタグがハンドル組立体３９０の内部に封入され固着されるなどの他の方法で、下位組立体３９０Ａおよび上位組立体３９０Ｂはともに固着されてもよい。
【００６６】
図１６は、一実施形態に係る、線形アモルファス共振器３９４および磁化バイアス４４０を含むセキュリティタグを含むハンドル組立体３９０の分解図である。この実施形態では、ハンドル組立体３９０は、下位組立体３９０Ａと、２つの線形アモルファス共振器３９４と、磁化バイアス４４０と、上位組立体３９０Ｂとを含む。
【００６７】
一実施形態では、ＣＥＭ用セキュリティ機器システムは、ＣＥＭ用セキュリティ機器３０２と、図１に関して本明細書で記載されている取り外し器４０のような取り外し器とを含む。可撓性要素３１６が取り外し器４０および磁気的に作動可能なラッチ３１２の間に配置されるように、セキュリティ機器３０２の磁気的に作動可能なラッチ３１２の近くに取り外し器４０が配置されるとき、取り外し器４０は、磁力によって、磁気的に作動可能なラッチ３１２をロック位置から移動させ、可撓性要素３１６に押しつけてもよい。可撓性要素３１６の圧縮力、および、磁気的に作動可能なラッチ３１２の動きなどに抵抗するなどの他のあらゆる力よりも、その磁力が強いとき、磁気的に作動可能なラッチ３１２はロック位置から移動してもよい。その場合、ハンドル組立体３９０は、経路３５４および３５６に沿う摺動をブロックされることがないため、ＣＥＭ用セキュリティ機器３０２から摺動して離れ、ＣＥＭトンネル３６０を露出させてもよい。ＣＥＭがそのセキュリティ機器３０の内部にあったとしても、ＣＥＭ用セキュリティ機器３０２からＣＥＭを自由に取り外すことができうる。
【００６８】
この実施形態では、ＣＥＭ用セキュリティ機器３０２は、ロック解除にあたってどの部分も破壊されていないので、ＣＥＭ用セキュリティ機器３０２は再利用可能となりうる。別の実施形態では、ＣＥＭ用セキュリティ機器３０２は、磁気的に作動可能なラッチ３１２、または、使い捨て用もしくはリセット可能のセキュリティタグを用いる。
【００６９】
この実施形態では、ＣＥＭ用セキュリティ機器３０２は、ＥＡＳタグおよび磁気機構を有してもよく、眼鏡用であってもよい。ＣＥＭ用セキュリティ機器３０２は、一実施形態でＥＡＳ構成部品を有してもよい。また、無許可の者が持ち出して、眼鏡のセキュリティ機器と、セキュリティ機器に部分的に封入されるかまたは他の方法で固着されていてもよい眼鏡とを持って店を去ることに対して抵抗または妨げるために、ＣＥＭ用セキュリティ機器３０２は利用されてもよい。一実施形態では、このセキュリティ機器は、下部筐体と、上部筐体と、ラッチ機構カバーと、協働して眼鏡セキュリティ機器を眼鏡のつるにロックしうるＥＡＳハンドル組立体またはＥＡＳ組立体ハンドルとを含んでもよい。ＥＡＳハンドル組立体は、１つまたは複数の線形アモルファス共振器と、線形アモルファス共振器の筐体と、磁化バイアスと、磁化バイアス ホルダ・ハンドルとを含んでもよい。一実施形態では、ＥＡＳハンドル組立体は、３つの線形アモルファス共振器を含んでもよい。
【００７０】
一実施形態では、ＣＥＭセキュリティ機器３０２は、ロック機構３０１が磁気機構を含むように構成されてもよく、セキュリティタグはＥＡＳタグまたはＥＡＳ構成部品を含んでもよい。セキュリティタグは１つまたは複数の線形アモルファス共振器３９４および磁化バイアス４４０を含んでもよく、これらは磁化バイアスを含んでもよい。一実施形態では、セキュリティタグは３つの線形アモルファス共振器を含んでもよい。筐体３３０は、下部筐体と、上部筐体と、ラッチ機構カバーと、ＥＡＳハンドル組立体とを含んでもよく、これらの部分はそれぞれ、下部筐体３５０と、上部筐体３７０と、ロック機構カバー３８０と、ハンドル組立体３９０とに対応してもよい。ハンドル組立体３９０は、線形アモルファス共振器筐体を含んでもよい下位組立体３９０Ａと、磁化バイアス ホルダ・ハンドルを含んでもよい上位組立体とを含んでもよい。ハンドル組立体３９０は、線形アモルファス共振器３９４および磁化バイアス４４０を含んでもよく、これらは、３つの線形アモルファス共振器および磁化バイアスを含むＥＡＳハンドル組立体に対応してもよい。
【００７１】
別の実施形態では、ＣＥＭ用セキュリティ機器５０２は、図１７から図３０の実施形態に関して記載されているように、ロック機構５１０と、セキュリティタグ５２０と、筐体５３０とを含んでもよい。ＣＥＭ用セキュリティ機器５０２は、ＣＥＭ用セキュリティ機器３０２に関して上述されているように、眼鏡または他のＣＥＭの脚部分の根本の部分にロックされるかまたは他の方法で固着されてもよい。
【００７２】
図１７から図２０は、一実施形態に係る、ＣＥＭ用セキュリティ機器５０２の様々な斜視図であって、ＣＥＭ用セキュリティ機器５０２の対応する要素が検討されるときに参照されてもよい。この実施形態のＣＥＭ用セキュリティ機器５０２は、下部筐体５５０、セキュリティタグ・カバー５７０、およびロック機構カバー５８０などの様々な部分と、以下に記載されるようなハンドル組立体５９０とを含む。それぞれの部分は、ＣＥＭ用セキュリティ機器３０２に関して本明細書で記載されているように、１つまたは複数の材料を含んでもよい。
【００７３】
図２１から図２３はそれぞれ、一実施形態に係る、ＣＥＭ用セキュリティ機器５０２の、上面図、正面図、および側面図を示す。この実施形態に示されるように、筐体５３０およびＣＥＭ用セキュリティ機器５０２は、図２１の上面図に見られるように、少なくとも部分的には長方形の形状を有するが、外部に湾曲した面５３４も有する上部外面５３２を有してもよい。上部外面５３２は、１つかまたは複数の突起部分と、以下に記載されるハンドル６３２および６３４とを含んでもよい。筐体５３０は、厚みが薄くてもよく、ハンドル６３２および６３４の付近においてその厚みが最大となってもよい。一実施形態では、筐体５３０の外寸は、上部外面５３２において側部の概寸法Ｓ５およびＳ６がそれぞれ４８．８５ｍｍおよび３３．１７ｍｍであり、筐体５３０の厚みの概寸法Ｔ３、Ｔ４、Ｔ５がそれぞれ４．２７ｍｍ、４．２１ｍｍ、および７．４１ｍｍである。一方、様々な実施形態では、筐体５３０およびその構成部品は、例えば、図１の実施形態の筐体３０に関して記載されているような、所望のサイズおよび寸法を有してもよい。筐体５３０は、本明細書に記載されているように、セキュリティタグ５２０およびＣＥＭを筐体５３０に固着するように構成されてもよく、そのようにして、以下に記載されているように、ＣＥＭ用セキュリティ機器５０２をＣＥＭにロックしてもよい。
【００７４】
図２４は、一実施形態に係る、ＣＥＭ用セキュリティ機器５０２の分解図であり、そこに含まれうる要素を示すものである。この図は、ＣＥＭ用セキュリティ機器５０２の対応する要素が検討される際に、参照されてもよい。
【００７５】
図２５は、一実施形態に係る、ロック機構５１０の部分、セキュリティタグ５２０、および下部筐体５５０と、ＣＥＭ用セキュリティ機器との、斜視図である。ロック機構５１０は、磁気的に作動可能なラッチ５１２および可撓性要素５１６を含んでもよい。
【００７６】
磁気的に作動可能なラッチ５１２は磁性材料を含んでもよく、図１の磁気的に作動可能なラッチ１２に関して記載されているように、１つまたは複数の材料を含んでもよい。基底部分端部５１３Ａと、基底部分側面５１３Ｂおよび５１３Ｃとを含んでもよい基底部分５１３、ラッチ部分端部５１４Ａを含んでもよいラッチ部分５１４、および中央部分５１５を、磁気的に作動可能なラッチ５１２は含んでもよい。
【００７７】
磁気的に作動可能なラッチ５１２は、大文字の「Ｉ字」のような形状を有してもよい。基底部分側面５１３Ｂおよび５１３Ｃは平行であってもよく、それぞれが少なくとも実質的に直線状であってもよく、基底部分側面５１３Ｂと５１３Ｃとの間の距離でありうる基底部分５１３の幅は、ラッチ部分５１４の幅と実質的に同じであるが、磁気的に作動可能なラッチ５１２の幅より広くてもよい。基底部分端部５１３Ａは平らであってもよく、基底部分側面５１３Ｂおよび５１３Ｃに対して実質的に垂直であってもよい。磁気的に作動可能なラッチ５１２は、厚みが薄くてもよいが、一方、様々な実施形態では、図１に示される磁気的に作動可能なラッチ１２に関して本明細書で記載されるような、別の構成を有してもよい。加えて、可撓性要素５１６は一実施形態では、磁気的に作動可能なラッチ５１２と、組み合わせられているか、または一体になっていてもよい。一実施形態では、可撓性要素５１６は、例えば、板バネのような、片持ちアームの形状を有してもよい。
【００７８】
可撓性要素５１６は可撓性材料を、含むか、またはこれにより形成されてもよく、図１に示される可撓性要素１６に関して本明細書で記載されるように、１つまたは複数の材料を含んでもよい。可撓性要素５１６は、一実施形態では、その側面５１６Ａが側面５１６Ｂよりも広いような、実質的に立方体の形状を有するか、または別の形状を有してもよい。別の様々な実施形態では、可撓性要素５１６は、図１の磁気的に作動可能なラッチ１２に関して上述されているように、コイルもしくは他のバネ、または同様の部材として、構成されてもよく、またはコイルもしくは他のバネ、または同様の部材の１つまたは複数の材料を含んでもよい。
【００７９】
ラッチ噛み合わせ要素５１８および５１９は、筐体５３０またはその部分と一体になっていてもよく、それぞれが、以下に記載されるように、ハンドル組立体５９０で引っ込み部を含んでもよく、または別の１つまたは複数の部分品であってもよい。
【００８０】
筐体５３０の下部筐体５５０は、ロック機構５１０の磁気的に作動可能なラッチ５１２および可撓性要素５１６が筐体５３０の下部筐体５５０の内部で近接して配置されているように構成されてもよい。このようにして、磁気的に作動可能なラッチ５１２の基底部分端部５１３Ａは、可撓性要素５１６の近くか、またはそれに接して配置されてもよい。そのような構成のために、磁気的に作動可能なラッチ５１２および可撓性要素５１６は、１つまたは複数の方向に動きが制限されうる。
【００８１】
例えば、下部筐体５５０は、チャネル端部壁５６５と、チャネル壁５６６および５６８と、チャネル壁５６６および５６８に画定されるチャネル５６４とを含んでもよく、チャネル端部壁５６５によって境界が示されてもよい。チャネル壁５６６および５６８は、互いに実質的に平行な部分を含んでもよく、それぞれ、基底部分側面５１３Ｂおよび５１３Ｃと、中央部分５１５およびラッチ部分５１４の面とにおいて、磁気的に作動可能なラッチ５１２の近くかまたはこれに接するような位置にあってもよく、それによって、磁気的に作動可能なラッチ５１２の動きが、チャネル５６４に沿った、実質的に直線方向の運動でありうる動きに制限されてもよい。磁気的に作動可能なラッチ５１２がロック位置から移動させられ可撓性要素５１６に押しつけられるとき、磁気的に作動可能なラッチ５１２の力およびチャネル端部壁５６５の抵抗力によって、可撓性要素５１６が圧縮されるように、可撓性要素５１６がチャネル端部壁５６５に隣接して位置してもよい。そのような圧縮力に対して、可撓性要素５１６は、磁気的に作動可能なラッチ５１２のそのような動きに抵抗してもよい。
【００８２】
上述のように様々な実施形態では、チャネル５６４と、チャネル壁５６６および５６８とが、そのような磁気的に作動可能なラッチ５１２を収容し、磁気的に作動可能なラッチ５１２の動きが１つまたは複数の方向に制限されうるように、磁気的に作動可能なラッチ５１２は別の形状を有するような構成となってもよい。これらの実施形態のそれぞれでは、可撓性要素５１６はチャネル５６４にはまり込むように構成されてもよい。
【００８３】
筐体５３０の下部筐体５５０は、さらにまたは代替的に、セキュリティタグ・カバー５７０、ロック機構カバー５８０、およびハンドル組立体５９０と、ＣＥＭとを受けるように構成されてもよい。一実施形態では、下部筐体５５０は、セキュリティタグ・カバー受け取り部分５５１、ロック機構カバー受け取り部分５５２、およびハンドル組立体受け取り部分５５３と、ＣＥＭトンネル壁５６２とを含んでもよい。
【００８４】
セキュリティタグ・カバー受け取り部分５５１は、上部筐体５７０の同様の形状を有する引っ込み部を受けてもよい上部筐体受け取り壁５５１Ａを含んでもよい。カバー受け取り部分５５１は、代替的に上部筐体５７０の構成に基づくような構成を有してもよく、または上部筐体５７０を受けるように別の方法で構成されてもよい。セキュリティタグ５２０は、セキュリティタグ・カバー受け取り部分５５１に配置され、そこに貼り付けられてもよい。
【００８５】
ロック機構カバー受け取り部分５５２は、ロック機構カバー５８０の同様の形状を有する引っ込み部を受けうるロック機構カバー受け取り壁５５２Ａを含んでもよい。ロック機構カバー受け取り部分５５２は、代替的にロック機構カバー５７０の構成に基づく構成を有してもよく、またロック機構カバー５８０を受けるように別の方法で構成されてもよい。
【００８６】
ハンドル組立体受け取り部分５５３は、レッジ５５４および５５６を含んでもよい。なお、このレッジ５５４および５５６は、以下に記載するように、ハンドル組立体５９０の滑り子６００がそれらの上に位置し、且つ、それに対して摺動するようになっている。
【００８７】
ＣＥＭトンネル壁５６２は「Ｕ字」の形状か、またはＣＥＭを受けるような他の方法で構成されてもよい。以下に説明するように、ハンドル組立体５９０の滑り子６００がＣＥＭトンネル壁５６２に隣接して下部筐体５５０に配置されるとき、ＣＥＭトンネル５６０が画定され、ＣＥＭが過囲まれてもよい。その場合、本明細書に記載されるように、ＣＥＭは取り除かれることからブロックされてもよい。ＣＥＭトンネル５６０は、上述の実施形態に記載されるＣＥＭトンネル３６０の断面よりも小さい断面を有してもよい。
【００８８】
図２６は、一実施形態に係る、ロック機構５１０の部分と、下部筐体５５０と、ＣＥＭ用セキュリティ機器５０２のセキュリティタグ・カバー５７０との斜視図である。セキュリティタグ・カバー５７０は、少なくとも部分的に長方形の形状で、および／または筐体５３０の形状と部分的に同様でありうる形状を有するように構成されてもよい。以下に記載されているように、セキュリティタグ・カバー５７０はフランジ５７２を含んでもよく、このフランジ５７２は「Ｌ字」の形状を有し、ハンドル組立体５９０を有するセキュリティタグ・カバー５７０に連結されてもよい。セキュリティタグ・カバー５７０は厚みが薄くてもよいが、一方で、様々な実施形態では、連結時に下部筐体５５０の連結壁５５１Ａを受けるように、別に、または加えて、構成されてもよい。溶接、融解、接着剤接着、スナップフィット（例えば、下部筐体５５０および上部筐体５７０が噛み合わせ突起および中空部分とともに構成される箇所などで）、締り嵌め、および／または他の固着手段によって、上部筐体５７０は、さらにまたは代替的に、下部筐体５５０に固着されてもよい。
【００８９】
図２４に戻って参照する。ロック機構カバー５８０は、少なくとも部分的には長方形であるが、外部に湾曲した面５３４も有するように構成されてもよく、図２１の実施形態に関して記載されているように、筐体５３０の外面５３２の同様の形状を有する部分を含んでもよい。ロック機構カバー５８０は、「Ｌ字」形状を有しうるフランジ５８２を含んでもよく、以下に説明されるように、ハンドル組立体５９０と連結してもよい。フランジ５８２は、セキュリティタグ・カバー５７０のフランジ５７２と同様の形状を有してもよい。
【００９０】
ロック機構カバー５８０は厚みが薄くてもよいが、一方、様々な実施形態では、ロック機構カバー５８０は、下部筐体５５０に固着され、且つロック機構５１０の磁気的に作動可能なラッチ５１２と可撓性要素５１６の上部にあるように、別の方法で構成されてもよい。溶接、融解、接着剤接着、スナップフィット（例えば、下部筐体５５０およびロック機構カバー５８０が噛み合わせ突起および中空部分とともに構成される箇所などで）、締り嵌め、および／または他の固着手段によって、ロック機構カバー５８０は下部筐体５５０に固着されてもよい。ロック機構カバー５８０は、例えば、図１７から図２０の実施形態でも図示されていて、これらの図はこの記載に関して参照されてもよい。
【００９１】
図２７は、一実施形態に係る、ハンドル組立体５９０の図である。ハンドル組立体５９０は、上位部分５９２および滑り子６００を含む長尺部材であってもよい。一実施形態では、ハンドル組立体５９０は対称性を有する。上位部分５９２は、滑り子６００から突き出していてもよく、上部面５９４を含んでもよい。上部面５９４は、ハンドル６３２および６３４を有してもよい。ハンドル組立体５９０が下部筐体５５０に配置されるとき、ハンドル組立体５９０がレッジ５５４および５５６上を摺動することを、ハンドル６３２および６３４は促してもよい。
【００９２】
別の実施形態では、摺動、蝶つがい、および／または、衝動と蝶つがいとの組み合わせによって、ハンドル組立体５９０は下部筐体５５０と連結してもよい。
【００９３】
滑り子６００は、上位部分５９２よりも広くてもよく、下面すなわち基底６０２を含んでもよい。この基底６０２は平らであってもよい。基底６０２がＣＥＭトンネル壁５６２に隣接するように、基底６０２は下部筐体５５０のレッジ５５４および５５６に配置され、それによって、ＣＥＭトンネル壁５６２とともに、ＣＥＭトンネル５６０を画定してもよい。
【００９４】
滑り子６００は上部壁６０４および６０６を含み、それぞれ連結凹み６１４および６１６に隣接してもよい。そのような構成を有するために、ＣＥＭ用セキュリティ機器５０２が組み立てられているとき、セキュリティタグ・カバー５７０およびロック機構カバー５８０は、ハンドル組立体５９０と連結していてもよい。セキュリティタグ・カバー５７０のフランジ５７２は上部壁６０６の上を伸長してハンドル組立体５９０の連結凹み６１６に至ってもよく、ロック機構カバー５８０のフランジ５８２は上部壁６０４の上を伸長してハンドル組立体５９０の連結凹み６１４に至ってもよい。そのような構成は、例えば、図１７から図２０の実施形態で示されている。様々な実施形態で、セキュリティタグ・カバー５７０、ロック機構カバー５８０、およびハンドル組立体５９０は、ＣＥＭ用セキュリティ機器３０２および７０２に関して記載されているように、「Ｌ字」の形状を有するフランジなどの、様々な噛み合い構造を有するように構成されてもよい。組み立て時にそのような構成となっているために、下部筐体５５０のレッジ５５４および５５６に沿った実質的に直線方向以外の方向への、筐体５３０に対する、ハンドル組立体５９０の動きを、セキュリティタグ・カバー５７０およびロック機構カバー５８０は妨げるかまたは抵抗してもよい。
【００９５】
滑り子６００はラッチ噛み合わせ要素５１８および５１９を含んでもよく、このラッチ噛み合わせ要素５１８および５１９は同様の構成を有してもよい。ラッチ噛み合わせ要素６１８は、ラッチ噛み合わせ要素壁６１８Ａおよび引っ込み部６１８Ｂ、またはラッチ噛み合わせ要素壁６１８Ａによって画定される他の中空部分を含んでもよい。ラッチ噛み合わせ要素６１９は、ラッチ噛み合わせ要素壁６１９Ａおよび引っ込み部６１９Ｂと同様に構成されてもよい。
【００９６】
ＣＥＭ用セキュリティ機器５０２が組み立てられているとき、ラッチ噛み合わせ要素６１８および６１９の１つがロック機構５１０の磁気的に作動可能なラッチ５１２と一直線となるように、ラッチ噛み合わせ要素６１８および６１９は配置されてもよい。一実施形態では、ＣＥＭ用セキュリティ機器５０２が下部筐体５５０に配置されている際に、ラッチ噛み合わせ要素６１８または６１９が磁気的に作動可能なラッチ５１２に対向するように、ＣＥＭ用セキュリティ機器５０２が対称性を有している。すると、例えば図２８から図２９に示されるように、ロック機構５１０の可撓性要素５１６は、磁気的に作動可能なラッチ５１２をラッチ噛み合わせ要素の引っ込み部５１８Ｂまたは５１９Ｂに付勢しうる。そのような構成は、下部筐体５５０のレッジ５５４および５５６に沿った、ハンドル組立体５９０の動きを妨げるか、またはそれに抵抗しうる。すると、上述のように、磁気的に作動可能なラッチ５１２は、セキュリティタグ・カバー５７０およびロック機構５８０とともに協働して、ＣＥＭ用セキュリティ機器５０２の他の部分からハンドル組立体５９０が離れる動きを妨げるか、またはそれに抵抗し、それによってＣＥＭ用セキュリティ機器５０２の取り外しを妨げるか、またはそれに抵抗してもよい。ＣＥＭトンネル５６０を貫通してＣＥＭが伸長するときも、ＣＥＭ用セキュリティ機器５０２はＣＥＭにロックされてもよい。
【００９７】
滑り子６００は、面取り端６００Ａから６００Ｄを含んでもよい。これらの面取り端６００Ａから６００Ｄは、筐体５３０の他の部分に、および／または、そこから、滑り子６００が摺動することを促してもよい。
【００９８】
図２８から図３０は、一実施形態に係る、ロック機構５１０、下部筐体５５０、セキュリティタグ・カバー５７０、およびハンドル組立体５９０の、斜視図、上面図、および側面図を示すものである。この実施形態では、磁気的に作動可能なラッチ５１２が伸長してラッチ噛み合わせ要素５１８に至っていることが示されている。
【００９９】
一実施形態では、ＣＥＭ用セキュリティ機器装置は、ＣＥＭ用セキュリティ機器５０２と、図１に関して本明細書で記載されている取り外し器４０などの取り外し器とを含んでもよい。取り外し器４０と磁気的に作動可能なラッチ５１２との間に可撓性要素５１６が位置するようにして、取り外し器４０がセキュリティ機器５０２の磁気的に作動可能なラッチ５１２の近くにあるとき、取り外し器４０は、磁力によって、磁気的に作動可能なラッチ５１２をロック位置から移動させ、可撓性要素５１６に押しつけてもよい。可撓性要素５１６の圧縮力、および、磁気的に作動可能なラッチ５１２のそのような動きに抵抗する他のあらゆる力よりも、その磁力が強いとき、磁気的に作動可能なラッチ５１２はロック位置から出ることができなくてもよい。その場合、ハンドル組立体５９０はレッジ５５４および５５６に沿って摺動することをブロックされず、そのようにしてＣＥＭ用セキュリティ機器５０２から摺動して外れて、ＣＥＭトンネル５６０を露出させてもよい。ＣＥＭがその内部にあるとき、ＣＥＭは、ＣＥＭ用セキュリティ機器５０２から自由に取り外しうる。
【０１００】
この実施形態では、ＣＥＭ用セキュリティ機器５０２のロック解除にあたって、ＣＥＭ用セキュリティ機器５０２は、いずれの部分も破壊されていないので、ＣＥＭ用セキュリティ機器５０２は再利用可能であってもよい。別の実施形態では、セキュリティタグ５２０、または、使い捨て用もしくはリセット可能である磁気的に作動可能なラッチ５１２を、ＣＥＭ用セキュリティ機器５０２は用いる。
【０１０１】
一実施形態では、ＣＥＭ用セキュリティ機器５０２は眼鏡セキュリティ機器組立体とよばれてもよく、再利用可能、リセット可能、または使い捨て用であってもよい。ＣＥＭ用セキュリティ機器５０２は、ＥＡＳタグおよび磁気機構を持つことができて、眼鏡用であってもよい。ＣＥＭ用セキュリティ機器５０２は、一実施形態では、ＥＡＳの構成部品を有してもよく、無許可の者が眼鏡セキュリティ機器、および、眼鏡セキュリティ機器に部分的に封入されるか、または他の方法でそれに固着された眼鏡を持ち出して、店を去ることを妨げるか、またはこれに抵抗するために利用されてもよい。一実施形態では、このセキュリティ機器は、下部筐体と、ＥＡＳラベル・カバーと、ラッチ機構カバーと、協働してロックする眼鏡セキュリティ機器を眼鏡のつるに固着しうるＥＡＳハンドル組立体とを含んでもよい。ＥＡＳハンドル組立体は、１つまたは複数の線形アモルファス共振器と、線形アモルファス共振器の筐体と、磁化バイアスと、磁化バイアス ホルダ・ハンドルとを含んでもよい。一実施形態では、ＥＡＳハンドル組立体は３つの線形アモルファス共振器を含んでもよい。
【０１０２】
一実施形態では、ロック機構５１０が磁気機構を含み、且つセキュリティタグ５２０がＥＡＳタグまたはＥＡＳ構成部品を含むように、ＣＥＭ用セキュリティ機器５０２は構成されてもよい。セキュリティタグ５２０は、１つまたは複数の線形アモルファス共振器を含んでもよい線形アモルファス共振器３９４と、磁化バイアスを含んでもよい磁化バイアス４４０とを含んでもよい。一実施形態では、セキュリティタグ５２０は線形アモルファス共振器３９４を含んでもよい。筐体５３０は、下部筐体と、ＥＡＳラベル・カバーと、ラッチ機構カバーと、トラック・ハンドルを含む部分を含んでもよく、これらの部分はそれぞれ、下部筐体５５０と、セキュリティタグ・カバー５７０と、ロック機構カバー５８０と、ハンドル組立体５９０とに対応してもよい。
【０１０３】
別の実施形態では、ＣＥＭ用セキュリティ機器７０２は、図３１から図４５の実施形態に関して記載されているように、ロック機構７１０と、セキュリティタグ７２０と、筐体７３０とを含んでもよい。ＣＥＭ用セキュリティ機器７０２は、ＣＥＭにロックされるか、または他の方法でそれに固着されてもよい。
【０１０４】
図３１から図３５は、一実施形態に係る、ＣＥＭ用セキュリティ機器７０２の様々な斜視図を示すものであり、その対応する要素が検討されるときに参照されてもよい。この実施形態でのＣＥＭ用セキュリティ機器７０２は、以下に記載されるように、下部筐体７５０、セキュリティタグ・カバー７７０、ロック機構カバー７８０、およびハンドル組立体７９０などの、様々な部分を含んでもよい筐体７３０を含むものである。それぞれの部分は、プラスチックおよび金属などの１つまたは複数の材料を含んでもよく、それらの部分は、同様かあるいは異なった材料、またはそれらの組み合わせを含んでもよい。
【０１０５】
図３６から図３８は、それぞれ、一実施形態に係る、ＣＥＭ用セキュリティ機器７０２の上面図、正面図、および側面図を示すものである。図３９から図４１もまた、それぞれの実施形態の、これらの図を示すものである。図３６から図４１に参照する。筐体７３０およびＣＥＭ用セキュリティ機器７０２は、図３５および図３８の上面図から見られるように、少なくとも部分的には小文字の「ｌ字」の形状を有するが、凹状端および隆起部分も有する、上部外面７３２を有してもよい。上部外面７３２は突起部分を含んでもよく、この突起部分は、以下に記載されるハンドル８３２であってもよい。
【０１０６】
筐体７３０は、図３７および図４０の正面図に見られるように、１つまたは複数の湾曲端を有してもよく、上部外面７３２の側面は、その逆側の側面よりも広くてもよい。図３８および図４１に見られるように、筐体７３０は厚みが薄くてもよく、ハンドル８３２の付近においてその厚みが最大となってもよい。筐体７３０は下部外面７３４を有してもよく、その下部外面は少なくとも部分的には平らであるが、膨張した部分、または他の方法で突起した部分７３５を有してもよい。
【０１０７】
一実施形態では、筐体７３０の外寸は、上部外面３３２において側部の概寸法Ｓ７からＳ９が、それぞれ８．０４ｍｍ、１５．４１ｍｍ、および１０．５５ｍｍであり、筐体７３０の厚みの概寸法Ｔ６からＴ９がそれぞれ８．５８ｍｍ、１１．４ｍｍ、４．５２ｍｍ、および４．３５ｍｍであってもよい。
【０１０８】
一方、様々な実施形態で、筐体７３０およびその構成部品は、例えば、図１の実施形態の筐体３０に関して記載されるなどの、所望のサイズおよび寸法であってもよい。本明細書に記載されているように、セキュリティタグ７２０とＣＥＭとが筐体７３０に固着されるようにして、筐体７３０は構成されてもよい。
【０１０９】
図４２は、一実施形態に係る、ＣＥＭ用セキュリティ機器７０２の分解図であり、ロック機構７１０、セキュリティタグ７２０、および筐体７３０に含まれてもよい要素を示すものである。
【０１１０】
ロック機構７１０は、磁気的に作動可能なラッチ７１２、可撓性要素７１６、およびラッチ噛み合わせ要素７１８を含んでもよい。磁気的に作動可能なラッチ７１２は磁性材料を含んでもよく、図１の磁気的に作動可能なラッチ１２に関して記載されているように、１つまたは複数の材料を含んでもよい。基底部分端部７１３Ａ、基底部分側面７１３Ｂ、および基底部分側面７１３Ｃを含んでもよい基底部分７１３と、ラッチ部分端部７１４Ａを含んでもよいラッチ部分７１４と、中央部分７１５とを、磁気的に作動可能なラッチ７１２は含んでもよい。
【０１１１】
磁気的に作動可能なラッチ７１２は「Ｔ字」の形状であってもよい。基底部分側面７１３Ｂおよび７１３Ｃは平行で、それぞれが少なくとも実質的に直線状であり、基底部分側面７１３Ｂと７１３Ｃとの間の距離であってもよい基底部分７１３の幅は磁気的に作動可能なラッチ７１２の他の幅よりも広くてもよい。基底部分端部７１３Ａは平らであってもよく、基底部分側面７１３Ｂおよび７１３Ｃに対して実質的に垂直であってもよい。磁気的に作動可能なラッチ７１２は、厚みが薄い構成であってもよいが、一方で、図１に示される磁気的に作動可能なラッチ１２に関して本明細書で記載されているように、様々な実施形態では、他の方法で構成されてもよい。
【０１１２】
可撓性要素７１６は、可撓性材料を含むか、またはそれから形成されてもよく、図１に示される可撓性要素１６に関して本明細書で記載されるように、１つまたは複数の材料および／または要素を含んでもよい。可撓性要素７１６は、一実施形態では、その側面７１６Ａがその側面７１６Ｂよりも広いような、実質的に立方体の形状を有するか、または他の形状を有してもよい。様々な実施形態では、可撓性要素７１６は、図１の磁気的に作動可能なラッチ１２に関して記載されているように、コイルもしくは他のバネか、または同様の部材として構成されるか、またはコイルもしくは他のバネか、または同様の部材の１つまたは複数の材料を含んでもよい。加えて、一実施形態では、可撓性要素７１６は、磁気的に作動可能なラッチ７１２と組み合わさっているか、または磁気的に作動可能なラッチ７１２と一体になっていてもよい。一実施形態では、可撓性要素７１６は、例えば、板バネのような、片持ちアームの形状であってもよい。
【０１１３】
ラッチ噛み合わせ要素７１８は、筐体７３０またはその部分と一体になっていてもよく、以下で記載されるように、ハンドル組立体７９０に引っ込み部を含んでもよく、また別の１つまたは複数の部分品であってもよい。
【０１１４】
ロック機構７１０の磁気的に作動可能なラッチ７１２および可撓性要素７１６が下部筐体７５０内で隣接して配置されように、筐体７３０の下部筐体７５０は構成されてもよい。磁気的に作動可能なラッチ７１２の基底部分端部７１３Ａは、可撓性要素７１６の近く、または可撓性要素７１６に接して、位置してもよい。そのような構成のために、磁気的に作動可能なラッチ７１２および可撓性要素７１６の運動は、１つまたは複数の方向に制限されてもよい。
【０１１５】
例えば、下部筐体７５０は、チャネル端部壁７６５と、チャネル壁７６６および７６８と、チャネル壁７６６および７６８によって画定されチャネル端部壁７６５によって境界が示されるチャネル７６４とを含んでもよい。チャネル壁７６６および７６８は、部分的に互いに実質的に平行であり、それぞれが、基底部分側面７１３Ｂおよび７１３Ｃと、中央部分７１５およびラッチ部分７１４の両側とにおいて、磁気的に作動可能なラッチ７１２の近くに位置するか、または磁気的に作動可能なラッチ７１２に接して位置し、それによって磁気的に作動可能なラッチ７１２の動きが、実質的に直線方向の動きであってもよい、チャネル７６４に沿った動きに制限されてもよい。磁気的に作動可能なラッチ７１２がロック位置から移動させられて可撓性要素７１６に押しつけられるとき、磁気的に作動可能なラッチ７１２の力と、チャネル端部壁７６５の抵抗力とによって、可撓性要素７１６が圧縮されうるように、可撓性要素７１６はチャネル端部壁７６５に隣接して位置してもよい。磁気的に作動可能なラッチ７１２のそのような動きに対して、可撓性要素７１６はそのような圧縮力に抵抗力を提供してもよい。
【０１１６】
上述のように様々な実施形態のそれぞれにおいて、チャネル７６４と、チャネル壁７６６および７６８とが、そのような磁気的に作動可能なラッチ７１２を収容するように構成されて、且つ、磁気的に作動可能なラッチ７１２が１つまたは複数の方向に制限されうるように、磁気的に作動可能なラッチ７１２が別の形状を有するような構成であってもよい。これらの実施形態のそれぞれにおいて、可撓性要素７１６がチャネル７６４の内部にはまり込むように構成されてもよい。
【０１１７】
筐体７３０の下部筐体７５０は、さらにまたは代替的に、セキュリティタグ・カバー７７０、ロック機構カバー７８０、およびハンドル組立体７９０と、ＣＥＭとを受けるように構成されてもよい。一実施形態では、下部筐体７５０は、セキュリティタグ・カバー受け取り部分７５１、ロック機構カバー受け取り部分７５２、ハンドル組立体受け取り部分７５３、およびＣＥＭトンネル壁７６２を含んでもよい。
【０１１８】
セキュリティタグ・カバー受け取り部分７５１は、セキュリティタグ・カバー７７０の同様の形状の引っ込み部を受けてもよいセキュリティタグ・カバー受け取り壁７５１Ａを含んでもよい。セキュリティタグ・カバー受け取り部分７５１は、代替的にセキュリティタグ・カバー７７０の構成に基づいて構成されるか、または別にセキュリティタグ・カバーの筐体７７０を受けるように構成されてもよい。
【０１１９】
ロック機構カバー受け取り部分７５２は、ロック機構カバー７８０の同様の形状の引っ込み部を受けてもよいロック機構カバー受け取り壁７５２Ａを含んでもよい。ロック機構カバー受け取り部分７５２は代替的にロック機構カバー７８０の構成に基づいて構成されてもよく、また別に、ロック機構カバー７８０を受けるように構成されてもよい。
【０１２０】
セキュリティタグ 組立体受け取り部分７５３は、ハンドル組立体７９０の滑り子７００および７１０が、以下に記載されるように、それぞれ伸長する経路７５４および７５６を含んでもよい。経路７５４および７５６は少なくとも「Ｕ字」の形状であってもよく、さらに面取り箇所７５７Ａおよび７５８Ａと、上部壁７５７Ｂおよび７５８Ｂとを、それぞれ含んでもよい。
【０１２１】
ＣＥＭトンネル壁７６２は「Ｕ字」の形状であってもよく、またはＣＥＭをうけるように他の方法で構成されてもよい。ハンドル組立体７９０のＣＥＭトンネル覆い７９６が、以下に説明されるように、ＣＥＭトンネル壁７６２に隣接しているとき、ＣＥＭトンネル７６０は画定され、そのようにして、ＣＥＭトンネル覆い７９６が取り除かれないかぎり、ＣＥＭは取り除かれないようにブロックされてもよい。
【０１２２】
セキュリティタグ・カバー７７０は、張り出し部を有する少なくとも部分的には長方形の形状、および／または、筐体７３０と部分的に同様な形状を、有するように構成されてもよい。上部筐体７７０はフランジ７７２を含んでもよく、このフランジ７７２は図３８、図４１、および図４２に示されるように、「Ｌ字」の形状であってもよく、以下に説明されるように、上部筐体７７０はハンドル組立体７９０を有するセキュリティタグ・カバー７７０と連結してもよい。上部筐体７７０は厚みが薄くてもよいが、一方では、様々な実施形態において、連結時に、下部筐体７５０の連結壁７５１Ａを受けるなどのように、他に、あるいは加えて、構成されてもよい。溶接、融解、接着剤接着、スナップフィット（例えば、下部筐体７５０および上部筐体７７０が噛み合わせ突起および中空部分とともに構成される箇所などで）、締り嵌め、および／または別の固着手段によって、上部筐体７７０は、さらにまたは代替的に、下部筐体７５０に固着されてもよい。
【０１２３】
ロック機構カバー７８０は、少なくとも部分的には長方形であるが、張り出し部を有する形状を有する構成であってもよく、筐体７３０の外面７３２の同様の形状の部分を含んでもよい。ロック機構カバー７８０は、フランジ７８２を含んでもよく、このフランジ７８２は、以下に説明されるように、「Ｌ字」の形状であってもよく、ハンドル組立体７９０と連結していてもよい。フランジ７８２は、セキュリティタグ・カバー７７０のフランジ７７２と同様の形状を有してもよい。
【０１２４】
ロック機構カバー７８０は厚みが薄くてもよいが、一方、様々な実施形態では、ロック機構カバー７８０は、下部筐体７５０と固着され、且つ、ロック機構７１０の磁気的に作動可能なラッチ７１２および可撓性要素７１６の上にありうるように、別に構成されてもよい。溶接、融解、接着剤接着、スナップフィット（例えば、下部筐体７５０およびロック機構カバー７８０が噛み合わせ突起および中空部分を有するように構成される箇所などで）、締り嵌め、および／または他の固着手段によって、ロック機構カバー７８０は下部筐体７５０に固着されてもよい。
【０１２５】
ハンドル組立体７９０は、上位部分７９２および下位部分７９８を有するコンパクトな部材であってもよい。一実施形態では、ハンドル組立体７９０は対称性を有する。上位部分７９２は下位部分から突き出て、上部面７９４を含んでもよい。上部面７９４はハンドル８３２を含んでもよい。ハンドル組立体７９０が下部筐体７５０に配置されるとき、ハンドル８３２は、ハンドル組立体７９０が経路７５４および７５６に沿って摺動することを促してもよい。
【０１２６】
別の実施形態では、摺動、蝶つがい、および／または、摺動および蝶つがいの組み合わせによって、ハンドル組立体７９０は下部筐体７５０と連結してもよい。
【０１２７】
ハンドル組立体７９０は、下部筐体７５０のＣＥＭトンネル壁７６２の上にはまり込みＣＥＭトンネル壁７６２に隣接するように構成されてもよいＣＥＭトンネル覆い７９６によって画定される引っ込み部を有する下面を含み、それによってＣＥＭトンネル壁７６２とともに、ＣＥＭトンネル７６０を画定してもよい。ＣＥＭトンネル覆い７９６は「Ｕ字」の形状となるように構成されるが、面取り噛み合わせ面７９６Ａおよび７９６Ｂを有するように構成されてもよい。このような構成であるために、面取り噛み合わせ面７９６Ａおよび７９６Ｂが面取り箇所７５７Ａおよび７５８Ａと隣接するときに、ＣＥＭトンネル覆い７９６が上部壁７５７Ｂおよび７５８Ｂと隣接するように、ハンドル組立体７９０は下部筐体７５０に配置されてもよい。一方、別の様々な実施形態では、ＣＥＭトンネル覆い７９６および下部筐体７５０は別の噛み合わせ方式を有するように構成されてもよい。
【０１２８】
ハンドル組立体７９０は滑り子８００および８１０を含んでもよく、これらの滑り子８００および８１０は、それぞれ、上部壁８０２および８１２を含み、連結凹み８０４および８１４に隣接してもよい。そのような構成であるので、ＣＥＭセキュリティ機器７０２が組み立てられているとき、セキュリティタグ・カバー７７０およびロック機構カバー７８０は滑り子８００または８１０と連結してもよい。例えば、図３８および４１の実施形態において示されるように、上部筐体７７０のフランジ７７２は、上部壁８１２の上を伸長して滑り子８１０の連結凹み８１４に至り、ロック機構カバー７８０のフランジ７８２は上部壁８０２の上を伸長して滑り子８００の連結凹み８０４に至ってもよい。様々な実施形態では、セキュリティタグ・カバー７７０、ロック機構カバー７８０、およびハンドル組立体７９０は、例えば、ＣＥＭ用セキュリティ機器５０２に関して上述されているなどの、真っ直ぐで重なりあう壁などのような、様々な噛み合い構造を有するように構成されてもよい。そのような構成であるために、上部筐体７７０およびロック機構カバー７８０は、筐体７３０に対して、下部筐体７５０の経路壁７５２および７５６に沿う以外の方向の、ハンドル組立体７９０の動きを妨げるか、またはその動きに抵抗してもよい。
【０１２９】
滑り子８００および８１０は、それぞれラッチ噛み合わせ要素７１８および７１９を含んでもよく、ラッチ噛み合わせ要素７１８および７１９は同様の構成であってもよい。ラッチ噛み合わせ要素７１８は、ラッチ噛み合わせ要素壁７１８Ａおよび引っ込み部７１８Ｂ、またはラッチ噛み合わせ要素壁７１８Ａによって画定される別の中空部分を含んでもよい。ラッチ噛み合わせ要素７１９は、滑り子８１０の部分として、ラッチ噛み合わせ要素壁７１９Ａおよび引っ込み部７１９Ｂと同様の構成であってもよい。
【０１３０】
ＣＥＭ用セキュリティ機器７０２が組み立てられているとき、ラッチ噛み合わせ要素７１８および７１９の１つがロック機構７１０の磁気的に作動可能なラッチ７１２と一直線になるように、ラッチ噛み合わせ要素７１８および７１９は位置してもよい。一実施形態において、ＣＥＭ用セキュリティ機器７０２は、本明細書で述べられているように、ラッチ噛み合わせ要素７１８または７１９が磁気的に作動可能なラッチ７１２に対向するときに、ＣＥＭ用セキュリティ機器７０２が下部筐体７５０に配置されるように、対称性を有してもよい。
【０１３１】
ロック機構７１００の可撓性要素７１６は、磁気的に作動可能なラッチ７１２をラッチ噛み合わせ要素の引っ込み部７１８Ｂまたは７１８Ｂ（図示しない）に付勢してもよい。そのような構成は、下部筐体７５０の経路７５４および７５６に沿ったハンドル組立体７９０（および、その内部に封入された、あらゆるセキュリティタグ７２０）の動きを妨げるか、またはその動きに抵抗してもよい。磁気的に作動可能なラッチ７１２は、上述のように、セキュリティタグ・カバー７７０およびロック機構カバー７８０とともに協働して、ＣＥＭ用セキュリティ機器７０２の他の部分からのハンドル組立体７９０の動きを妨げるか、またはその動きに抵抗し、そのようにして、ハンドル組立体７９０が取り除かれることを妨げるか、または抵抗してもよい。また、ＣＥＭがＣＥＭトンネル７６０を貫通しているときにも、ＣＥＭセキュリティ機器７０２はＣＥＭをＣＥＭセキュリティ機器７０２にロックしてもよい。
【０１３２】
滑り子８００は、面取り端８０６Ａおよび８０６Ｂを含んでもよく、滑り子８１０は面取り端８１６Ａおよび８０６Ｂを含んでもよい。これらの面取り端は、滑り子８００および８１０が、それぞれ、経路７５４および７５６に向かって、および／または、経路７５４および７５６から、滑り子８００および８１０を摺動させることを促してもよい。
【０１３３】
一実施形態では、ＣＥＭ用セキュリティ機器システムは、ＣＥＭ用セキュリティ機器７０２と、図１に関して本明細書で記載する取り外し器４０などのような、取り外し器とを含む。可撓性要素７１６が取り外し器４０と磁気的に作動可能なラッチ７１２との間に配置されるように、取り外し器４０がセキュリティ機器７０２の磁気的に作動可能なラッチ７１２の近くに置かれるとき、取り外し器４０は、磁力によって、磁気的に作動可能なラッチ７１２をロック位置から出して、可撓性要素７１６に押しつけてもよい。可撓性要素７１６の圧力、および、磁気的に作動可能なラッチ７１２のそのような動きに対抗するあらゆる他の力よりも、その磁力が強い場合、磁気的に作動可能なラッチ７１２はロック位置から出ることができてもよい。そのような場合、ハンドル組立体７９０は経路７５４および７５６に沿って摺動することをブロックされえず、ＣＥＭ用セキュリティ機器７０２から摺動して離れて、ＣＥＭトンネル７６０を露出させうる。ＣＥＭが内部に配置されていても、ＣＥＭは、ＣＥＭセキュリティ機器７０２から自由に取り外すことができうる。
【０１３４】
この実施形態では、ロック解除するにあたって、ＣＥＭ用セキュリティ機器７０２はいずれの部分も破壊されていないので、ＣＥＭセキュリティ機器７０２は再利用可能である。別の実施形態では、ＣＥＭ用セキュリティ機器７０２は、使い捨て用またはリセット可能であるセキュリティタグ７２０または磁気的に作動可能なラッチ７１２を用いる。
【０１３５】
一実施形態では、ＣＥＭ用セキュリティ機器７０２はＣＥＭ用セキュリティ機器組立体と呼ばれてもよく、再利用可能、リセット可能、または使い捨て用であってもよい。ＣＥＭ用セキュリティ機器７０２は、ＥＡＳタグと磁気機構を持つことができて、眼鏡用であってもよい。一実施形態では、ＣＥＭセキュリティ機器７０２はＥＡＳ構成部品を有し、無許可の者が、ＣＥＭ用セキュリティ機器および、ＣＥＭ用セキュリティ機器に部分的に封入または別の方法で固着されている、あらゆる眼鏡を持ち出し店から去ることに対して抵抗し、またはそれを妨げるために利用されてもよい。一実施形態では、このセキュリティ機器は、下部筐体、上部筐体、ラッチ機構カバー、および、協働してＣＥＭ用セキュリティ機器を眼鏡のつるにロックするＥＡＳハンドル組立体を含んでもよい。ＥＡＳハンドル組立体は１つまたは複数の線形アモルファス共振器、線形アモルファス共振器の筐体、磁化バイアス、および磁化バイアス ホルダ・ハンドルを含んでもよい。一実施形態では、ＥＡＳハンドル組立体は３つの線形アモルファス共振器を含んでもよい。
【０１３６】
一実施形態では、ロック機構７１０が磁気機構を含んでもよく、セキュリティタグ７２０がＥＡＳタグまたはＥＡＳ構成部品を含んでもよいように、ＣＥＭ用セキュリティ機器７０２が構成されてもよい。セキュリティタグ７２０は線形アモルファス共振器７９４を含んでもよく、この線形アモルファス共振器７９４は、１つまたは複数の線形アモルファス共振器、および、磁化バイアスを含んでもよい磁化バイアス８４０を含んでもよい。一実施形態では、セキュリティタグ７２０は３つの線形アモルファス共振器を含んでもよい。筐体７３０は、下部筐体、ＥＡＳラベル・カバー、ラッチ機構カバー、およびトラック・ハンドルを含む部分を含んでもよく、これらの部分は、それぞれ、下部筐体７５０、セキュリティタグ・カバー７７０、ロック機構カバー７８０、およびハンドル組立体７９０に対応する。
【０１３７】
実施形態の具体的な特徴をここで説明しながら例示してきたが、多数の変更、代用、変化、等価が、当業者には理解できるであろう。したがって、添付した特許請求の範囲は、実施形態の範囲に含まれる全てのこれらの変更や変化を全て含むものであることが、理解されるはずである。
【図面の簡単な説明】
【０１３８】
【図１Ａ】一実施形態に係るセキュリティ機器およびシステムの構成部品の図であり、一実施形態に係る取り外し器の斜視図である。
【図１Ｂ】一実施形態に係るセキュリティ機器およびシステムの構成部品の図であり、一実施形態に係る取り外し器の上面図である。
【図１Ｃ】一実施形態に係るセキュリティ機器およびシステムの構成部品の図であり、一実施形態に係る取り外し器の正面図である。
【図１Ｄ】一実施形態に係るセキュリティ機器およびシステムの構成部品の図であり、一実施形態に係る取り外し器の側面図である。
【図１Ｅ】一実施形態に係るセキュリティ機器およびシステムの構成部品の図であり、使い捨て用セキュリティ機器の部分の斜視図である。
【図１Ｆ】一実施形態に係るセキュリティ機器およびシステムの構成部品の図であり、使い捨て用セキュリティ機器の部分の上面図である。
【図１Ｇ】一実施形態に係るセキュリティ機器およびシステムの構成部品の図であり、再取り付け可能なセキュリティ機器の部分の斜視図である。
【図１Ｈ】一実施形態に係るセキュリティ機器およびシステムの構成部品の図であり、使い捨て用セキュリティ機器の部分の斜視図である。
【図１Ｉ】一実施形態に係るセキュリティ機器およびシステムの構成部品の図であり、使い捨て用セキュリティ機器の部分の上面図である。
【図１Ｊ】一実施形態に係るセキュリティ機器およびシステムの構成部品の図であり、使い捨て用セキュリティ機器の部分の正面図である。
【図２】一実施形態に係るＣＥＭセキュリティ機器の斜視図である。
【図３】一実施形態に係るＣＥＭセキュリティ機器の斜視図である。
【図４】一実施形態に係るＣＥＭセキュリティ機器の斜視図である。
【図５】一実施形態に係るＣＥＭセキュリティ機器の斜視図である。
【図６】一実施形態に係るＣＥＭセキュリティ機器の上面図である。
【図７】一実施形態に係るＣＥＭセキュリティ機器の正面図である。
【図８】一実施形態に係るＣＥＭセキュリティ機器の側面図である。
【図９】一実施形態に係るＣＥＭセキュリティ機器の分解図である。
【図１０】一実施形態に係るＣＥＭセキュリティ機器のロック機構部分、下部筐体、および上部筐体の斜視図である。
【図１１】一実施形態に係るＣＥＭセキュリティ機器のロック機構、上部筐体、下部筐体、およびハンドル組立体との斜視図である。
【図１２】一実施形態に係るＣＥＭセキュリティ機器のロック機構、上部筐体、下部筐体、およびハンドル組立体との上面図である。
【図１３】一実施形態に係るＣＥＭセキュリティ機器のロック機構、上部筐体、下部筐体、およびハンドル組立体との側面図である。
【図１４】一実施形態に係るＣＥＭセキュリティ機器のハンドル組立体の下位組立体の斜視図である。
【図１５】一実施形態に係るＣＥＭセキュリティ機器のハンドル組立体の上位組立体の斜視図である。
【図１６】一実施形態に係るＣＥＭセキュリティ機器のハンドル組立体の分解図である。
【図１７】一実施形態に係るＣＥＭセキュリティ機器の斜視図である。
【図１８】一実施形態に係るＣＥＭセキュリティ機器の斜視図である。
【図１９】一実施形態に係るＣＥＭセキュリティ機器の斜視図である。
【図２０】一実施形態に係るＣＥＭセキュリティ機器の斜視図である。
【図２１】一実施形態に係るＣＥＭセキュリティ機器の上面図である。
【図２２】一実施形態に係るＣＥＭセキュリティ機器の正面図である。
【図２３】一実施形態に係るＣＥＭセキュリティ機器の側面図である。
【図２４】一実施形態に係るＣＥＭセキュリティ機器の分解図である。
【図２５】一実施形態に係るＣＥＭセキュリティ機器のロック機構部分、下部筐体、およびセキュリティタグの斜視図である。
【図２６】一実施形態に係るＣＥＭセキュリティ機器のロック機構部分、下部筐体、およびセキュリティタグ・カバーの斜視図である。
【図２７】一実施形態に係るハンドル組立体の斜視図である。
【図２８】一実施形態に係るＣＥＭセキュリティ機器のロック機構、下部筐体、セキュリティタグ・カバー、およびハンドル組立体の斜視図である。
【図２９】一実施形態に係るＣＥＭセキュリティ機器のロック機構、下部筐体、セキュリティタグ・カバー、およびハンドル組立体の上面図である。
【図３０】一実施形態に係るＣＥＭセキュリティ機器のロック機構、下部筐体、セキュリティタグ・カバー、およびハンドル組立体の側面図である。
【図３１】一実施形態に係るＣＥＭセキュリティ機器の斜視図である。
【図３２】一実施形態に係るＣＥＭセキュリティ機器の斜視図である。
【図３３】一実施形態に係るＣＥＭセキュリティ機器の斜視図である。
【図３４】一実施形態に係るＣＥＭセキュリティ機器の斜視図である。
【図３５】一実施形態に係るＣＥＭセキュリティ機器の斜視図である。
【図３６】一実施形態に係るＣＥＭセキュリティ機器の上面図である。
【図３７】一実施形態に係るＣＥＭセキュリティ機器の正面図である。
【図３８】一実施形態に係るＣＥＭセキュリティ機器の側面図である。
【図３９】一実施形態に係るＣＥＭセキュリティ機器の上面図である。
【図４０】一実施形態に係るＣＥＭセキュリティ機器の正面図である。
【図４１】一実施形態に係るＣＥＭセキュリティ機器の側面図である。
【図４２】一実施形態に係るＣＥＭセキュリティ機器の分解図である。
【図１】
2008533548.tif 000003
【図１Ａ】
2008533548.tif 000004
【図１Ｂ】
2008533548.tif 000005
【図１Ｃ】
2008533548.tif 000006
【図１Ｄ】
2008533548.tif 000007
【図１Ｅ】
2008533548.tif 000008
【図１Ｆ】
2008533548.tif 000009
【図１Ｇ】
2008533548.tif 000010
【図１Ｈ】
2008533548.tif 000011
【図１Ｉ】
2008533548.tif 000012
【図１Ｊ】
2008533548.tif 000013
【図２】
2008533548.tif 000014
【図３】
2008533548.tif 000015
【図４】
2008533548.tif 000016
【図５】
2008533548.tif 000017
【図６】
2008533548.tif 000018
【図７】
2008533548.tif 000019
【図８】
2008533548.tif 000020
【図９】
2008533548.tif 000021
【図１０】
2008533548.tif 000022
【図１１】
2008533548.tif 000023
【図１２】
2008533548.tif 000024
【図１３】
2008533548.tif 000025
【図１４】
2008533548.tif 000026
【図１５】
2008533548.tif 000027
【図１６】
2008533548.tif 000028
【図１７】
2008533548.tif 000029
【図１８】
2008533548.tif 000030
【図１９】
2008533548.tif 000031
【図２０】
2008533548.tif 000032
【図２１】
2008533548.tif 000033
【図２２】
2008533548.tif 000034
【図２３】
2008533548.tif 000035
【図２４】
2008533548.tif 000036
【図２５】
2008533548.tif 000037
【図２６】
2008533548.tif 000038
【図２７】
2008533548.tif 000039
【図２８】
2008533548.tif 000040
【図２９】
2008533548.tif 000041
【図３０】
2008533548.tif 000042
【図３１】
2008533548.tif 000043
【図３２】
2008533548.tif 000044
【図３３】
2008533548.tif 000045
【図３４】
2008533548.tif 000046
【図３５】
2008533548.tif 000047
【図３６】
2008533548.tif 000048
【図３７】
2008533548.tif 000049
【図３８】
2008533548.tif 000050
【図３９】
2008533548.tif 000051
【図４０】
2008533548.tif 000052
【図４１】
2008533548.tif 000053
【図４２】
2008533548.tif 000054
【国際調査報告】
2008533548.tif 000055
2008533548.tif 000056
2008533548.tif 000057